(57)【要約】  本願の実施例においてデータ伝送方法を開示し、局がアクセスポイントとの間でマルチ接続を確立するステップであって、マルチ接続は、アクセスポイントに少なくとも第１の周波数帯と第２の周波数帯を提供するように指示するためのものであり、第１の周波数帯と第２の周波数帯は異なる二つの周波数帯である、ステップと、局が第１の周波数帯でアクセスポイントに第１のデータパケットを送信するステップと、アクセスポイントがデータ伝送状況に応じて第１のデータパケットまたは第２のデータパケットを削除するように、局が第２の周波数帯でアクセスポイントに第２のデータパケットを送信するステップであって、第２のデータパケットは、第１のデータパケットと同一の業務データを伝送するためのものである、ステップを含む。本願の実施例において、さらに局、アクセスポイント及びデータ伝送システムを提供する。本願の実施例における局は異なる周波数帯を介してアクセスポイントに同一のデータパケットを送信し、瞬時的な極めて高い遅延によるデータパケットの遅延またはロスを回避して、ネットワークの信頼性を高める。
2021524190.tif 000002
【特許請求の範囲】
【請求項１】
局がアクセスポイントとの間でマルチ接続を確立するステップであって、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯である、ステップと、
前記局が前記第１の周波数帯で前記アクセスポイントに第１のデータパケットを送信するステップと、
前記アクセスポイントがデータ伝送状況に応じて前記第１のデータパケットまたは第２のデータパケットを削除するように、前記局が前記第２の周波数帯で前記アクセスポイントに前記第２のデータパケットを送信するステップであって、前記第２のデータパケットは、前記第１のデータパケットと同一の業務データを伝送するためのものである、ステップと、を含むデータ伝送方法。
【請求項２】
局がアクセスポイントとの間でマルチ接続を確立する前記ステップは、
前記アクセスポイントが前記局と前記第１の周波数帯での通信接続を確立するように、前記局が前記アクセスポイントに第１のマルチ接続要求を送信するステップと、
前記アクセスポイントが前記局と前記第２の周波数帯での通信接続を確立するように、前記局が前記アクセスポイントに第２のマルチ接続要求を送信するステップと、を含む請求項１に記載の方法。
【請求項３】
前記アクセスポイントが第１のサブアクセスポイントと第２のサブアクセスポイントを含み、
前記局が前記アクセスポイントに第１のマルチ接続要求を送信する前記ステップは、
前記局が前記第１のサブアクセスポイントと関連付けられた後、前記局が前記第２のサブアクセスポイントにマルチ接続認証要求を送信するステップと、
前記局が前記第２のサブアクセスポイントから送信されたマルチ接続認証応答を受信するステップと、
前記局が前記第２のサブアクセスポイントにマルチ接続関連付け要求を送信するステップと、
前記局が前記第２のサブアクセスポイントから送信されたマルチ接続関連付け応答を受信するステップであって、前記マルチ接続関連付け応答は、前記第１の周波数帯と前記第２の周波数帯とを関連付けるためのものである、ステップと、を含む請求項２に記載の方法。
【請求項４】
前記アクセスポイントが前記局と前記第２の周波数帯での通信接続を確立するように、前記局が前記アクセスポイントに第２のマルチ接続要求を送信するステップは、
前記局が前記アクセスポイントにマルチ接続確立要求を送信するステップと、
前記局が前記アクセスポイントから送信されたマルチ接続確立応答を受信するステップと、
前記局が前記アクセスポイントにマルチ接続確認要求を送信するステップと、
前記アクセスポイントが前記局と前記第２の周波数帯での通信接続を確立するように、前記局が前記アクセスポイントから送信されたマルチ接続確認応答を受信するステップと、を含む請求項３に記載の方法。
【請求項５】
局がアクセスポイントとの間でマルチ接続を確立する前記ステップは、
前記局が前記アクセスポイントから送信されたマルチ接続利用要求を受信するステップであって、前記マルチ接続利用要求は、前記アクセスポイントが目標業務に応じて生成したものであり、且つ、前記目標業務は、マルチ接続利用条件を満たす、ステップと、
前記アクセスポイントが前記局と前記第１の周波数帯での通信接続を確立するように、前記局が前記マルチ接続利用要求に応じて前記アクセスポイントに第１のマルチ接続要求を送信するステップと、
前記アクセスポイントが前記局と前記第２の周波数帯での通信接続を確立するように、前記局が前記マルチ接続利用要求に応じて前記アクセスポイントに第２のマルチ接続要求を送信するステップと、を含む請求項１に記載の方法。
【請求項６】
前記第１のデータパケットで第１の順番番号と第１の周波数帯指示子とが搬送され、前記第１の順番番号は、前記第１のデータパケットの出現順位を指示するためのものであり、前記第１の周波数帯指示子は、前記第１の周波数帯を指示するためのものであり、
前記第２のデータパケットで第２の順番番号と第２の周波数帯指示子とが搬送され、前記第２の順番番号は、前記第２のデータパケットの出現順位を指示するためのものであり、前記第２の周波数帯指示子は、前記第２の周波数帯を指示するためのものである請求項１に記載の方法。
【請求項７】
局がアクセスポイントとの間でマルチ接続を確立する前記ステップの後、更に、
前記局が前記第１の周波数帯で前記アクセスポイントから送信された第３のデータパケットを受信するステップであって、前記第３のデータパケットで第３の順番番号と第１の周波数帯指示子が搬送され、前記第３の順番番号は、前記第３のデータパケットの出現順位を指示するためのものであり、前記第１の周波数帯指示子は、前記第１の周波数帯を指示するためのものである、ステップと、
前記局が前記第２の周波数帯で前記アクセスポイントから送信された第４のデータパケットを受信するステップであって、前記第４のデータパケットは、前記第３のデータパケットと同一の業務データを伝送するためのものであり、前記第４のデータパケットで第４の順番番号及び第２の周波数帯指示子が搬送され、前記第４の順番番号は、前記第４のデータパケットの出現順位を指示するためのものであり、前記第２の周波数帯指示子は、前記第２の周波数帯を指示するためのものである、ステップと、
前記局がデータ伝送状況に応じて前記第３のデータパケットまたは前記第４のデータパケットを削除するステップと、を含む請求項１乃至６のうちのいずれか一項に記載の方法。
【請求項８】
前記局がデータ伝送状況に応じて前記第３のデータパケットまたは前記第４のデータパケットを削除するステップは、
前記局が先に前記第３のデータパケットを受信した場合、前記局が前記第４の順番番号及び前記第２の周波数帯指示子に応じて前記第４のデータパケットを削除するステップと、
前記局が先に前記第４のデータパケットを受信した場合、前記局が前記第３の順番番号及び前記第１の周波数帯指示子に応じて前記第３のデータパケットを削除するステップと、を含む請求項７に記載の方法。
【請求項９】
アクセスポイントと局との間でマルチ接続を確立するステップであって、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯である、ステップと、
前記アクセスポイントが前記第１の周波数帯で前記局から送信された第１のデータパケットを受信するステップと、
前記アクセスポイントが前記第２の周波数帯で前記局から送信された第２のデータパケットを受信するステップであって、前記第２のデータパケットは、前記第１のデータパケットと同一の業務データを伝送するためのものである、ステップと、
前記アクセスポイントがデータ伝送状況に応じて前記第１のデータパケットまたは前記第２のデータパケットを削除するステップと、を含むデータ伝送方法。
【請求項１０】
アクセスポイントとの間でマルチ接続を確立するように構成されるモジュールであって、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯である、確立モジュールと、
前記第１の周波数帯で前記アクセスポイントに第１のデータパケットを送信するように構成される送信モジュールと、を含み、
前記送信モジュールは、更に、前記アクセスポイントがデータ伝送状況に応じて前記第１のデータパケットまたは第２のデータパケットを削除するように、局が前記第２の周波数帯で前記アクセスポイントに前記第２のデータパケットを送信するように構成され、前記第２のデータパケットは、前記第１のデータパケットと同一の業務データを伝送するためのものである、局。
【請求項１１】
局との間でマルチ接続を確立するように構成されるモジュールであって、前記マルチ接続は、アクセスポイントに少なくとも第１の周波数帯と第２の周波数帯を提供するように指示するためのものであり、前記第１の周波数帯と前記第２の周波数帯は異なる二つの周波数帯である、確立モジュールと、
前記第１の周波数帯で前記局から送信された第１のデータパケットを受信するように構成され、更に、前記第２の周波数帯で前記局から送信された第２のデータパケットを受信するように構成されるモジュールであって、前記第２のデータパケットは、前記第１のデータパケットと同一の業務データを伝送するためのものである、受信モジュールと、
データ伝送状況に応じて前記受信モジュールにより受信された前記第１のデータパケットまたは前記第２のデータパケットを削除するように構成される削除モジュールと、
を含むアクセスポイント。
【請求項１２】
メモリと、受送信機と、プロセッサと、を含むアクセスポイントであって、
前記メモリにプログラムが記憶され、
前記プロセッサは、前記メモリ中のプログラムを実行することで、
局との間でマルチ接続を確立するステップであって、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯である、ステップと、
前記第１の周波数帯で前記局から送信された第１のデータパケットを受信するステップと、
前記第２の周波数帯で前記局から送信された第２のデータパケットを受信するステップであって、前記第２のデータパケットは、前記第１のデータパケットと同一の業務データを伝送するためのものである、ステップと、
データ伝送状況に応じて前記第１のデータパケットまたは前記第２のデータパケットを削除するステップと、を実現させるアクセスポイント。
【請求項１３】
メモリと、受送信機と、バスシステム、プロセッサとを含む局であって、
前記メモリにはプログラムが記憶され、
前記プロセッサは前記メモリ中のプログラムを実行することで、
アクセスポイントとの間でマルチ接続を確立するステップであって、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯である、ステップと、
前記第１の周波数帯で前記アクセスポイントに第１のデータパケットを送信するステップと、
データ伝送状況に応じて前記第１のデータパケットまたは第２のデータパケットを削除するように、前記局が前記第２の周波数帯で前記アクセスポイントに前記第２のデータパケットを送信するステップであって、前記第２のデータパケットは、前記第１のデータパケットと同一の業務データを伝送するためのものである、ステップと、を実現させ、
前記バスシステムは、前記メモリと前記プロセッサが通信を行うように前記メモリと前記プロセッサを接続する局。
【請求項１４】
局とアクセスポイントとを含むデータ伝送システムであって、
前記局がアクセスポイントとの間でマルチ接続を確立し、前記マルチ接続は、前記アクセスポイントに少なくとも第１の周波数帯と第２の周波数帯を提供するように指示するためのものであり、前記第１の周波数帯と前記第２の周波数帯は異なる二つの周波数帯であり、
前記局が前記第１の周波数帯で前記アクセスポイントに第１のデータパケットを送信し、
前記局が前記第２の周波数帯で前記アクセスポイントに第２のデータパケットを送信し、
前記アクセスポイントがデータ伝送状況に応じて前記第１のデータパケットまたは前記第２のデータパケットを削除し、前記第２のデータパケットは、前記第１のデータパケットと同一の業務データを伝送するためのものである、データ伝送システム。
【請求項１５】
コンピューターに請求項１乃至８のいずれか一項に記載の方法を実行させるコンピュータープログラム。
【発明の詳細な説明】
【技術分野】
【０００１】
本願は、２０１８年９月３０日に中国特許局に出願した出願番号が２０１８１１１６０６０６６であり、発明名称が「データ伝送方法、関連装置及びシステム」である中国特許出願に基づく優先権を主張しており、その内容のすべてを本願に援用する。
【０００２】
本願は、無線通信分野に関し、特に、データ伝送方法、関連装置及びシステムに関する。
【背景技術】
【０００３】
スマート機器の普及と汎娯楽（Ｐａｎ−Ｅｎｔｅｒｔａｉｎｍｅｎｔ）産業の流行に伴って、無線ネットワークに対する人々のニーズが遍在している。最近のネットワークもますます大スループット方向へ発展している。２０１３年に発表された８０２．１１ａｃプロトコルにおける単一ユーザによる伝送は理論上の最大値がすでに７Ｇｂｐｓに達していて、一方、新世代の８０２．１１ａｘプロトコルにおいてはユーザ密集環境における各ユーザの平均伝送速度を４倍以上向上させた。このように高いスループットはすでに日常生活における普通のユーザのニーズを大幅に超えた。
【０００４】
現在、システムの伝送速度やスループットを高めるために、マルチ入力マルチ出力（ｍｕｌｔｉｐｌｅ−ｉｎｐｕｔ  ｍｕｌｔｉｐｌｅ−ｏｕｔｐｕｔ：ＭＩＭＯ）の空間多重化や空間ダイバーシティ技術を用いることができ、空間ダイバーシティ技術とは、送信端の複数本の送信アンテナを用いて同一の情報の空間ストリームを異なる経路で送信するとともに、受信端において同一のデータシンボルの単独にフェージングした複数の空間ストリームを取得することで、データの信頼性を向上させることを指す。また、空間多重化技術とは、伝送しようとするデータを複数のデータストリームに分けた後、異なるアンテナから伝送することでシステムの伝送速度を向上させることを指す。
【０００５】
しかし、リアルタイムゲームを代表とするモバイル業務は非常に大きいユーザ量を有し、且つ無線ネットワークに対するニーズがすでに安定した信頼性のある低遅延伝送に変換されたが、ＭＩＭＯ技術は伝送速度やスループットの増加のみを目指し、低スループット伝送での安定性を向上させるための改善は行っていないため、ネットワークの安定性と信頼性に対する要求が高い状況には適用しない。
【発明の概要】
【０００６】
本願の実施例において、局（通信局とも言及される）が異なる周波数帯を介してアクセスポイントに同一のデータパケットを送信することで瞬時的な極めて高い遅延によるデータパケットの遅延またはロスを回避して、ネットワークの信頼性を高めるデータ伝送方法、関連装置及びシステムを提供する。
【０００７】
これに鑑み、本願の第１態様によると、
局がアクセスポイントとの間でマルチ接続を確立するステップであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、ステップと、
上記局が上記第１の周波数帯で上記アクセスポイントに第１のデータパケットを送信するステップと、
上記アクセスポイントがデータ伝送状況に応じて上記第１のデータパケットまたは上記第２のデータパケットを削除するように、上記局が上記第２の周波数帯で上記アクセスポイントに第２のデータパケットを送信するステップであって、上記第２のデータパケットは、上記第１のデータパケットと同一の業務データを伝送するためのものである、ステップと、を含むデータ伝送方法を提供する。
【０００８】
本願の第２態様によると、
アクセスポイントと局との間でマルチ接続を確立するステップであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、ステップと、
上記アクセスポイントが上記第１の周波数帯で上記局から送信された第１のデータパケットを受信するステップと、
上記アクセスポイントが上記第２の周波数帯で上記局から送信された第２のデータパケットを受信するステップであって、上記第２のデータパケットは、上記第１のデータパケットと同一の業務データを伝送するためのものである、ステップと、
上記アクセスポイントがデータ伝送状況に応じて上記第１のデータパケットまたは上記第２のデータパケットを削除するステップと、を含むデータ伝送方法を提供する。
【０００９】
本願の第３態様によると、
アクセスポイントとの間でマルチ接続を確立するように構成されるモジュールであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、確立モジュールと、
上記第１の周波数帯で上記アクセスポイントに第１のデータパケットを送信するように構成される送信モジュールと、を含み、
上記送信モジュールは、更に、上記アクセスポイントがデータ伝送状況に応じて上記第１のデータパケットまたは上記第２のデータパケットを削除するように、上記局が上記第２の周波数帯で上記アクセスポイントに第２のデータパケットを送信するように構成され、上記第２のデータパケットは、上記第１のデータパケットと同一の業務データを伝送するためのものである、局を提供する。
【００１０】
本願の第４態様によると、
局との間でマルチ接続を確立するように構成されるモジュールであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、確立モジュールと、
上記第１の周波数帯で上記局から送信された第１のデータパケットを受信するように構成され、更に、上記第２の周波数帯で上記局から送信された第２のデータパケットを受信するように構成されるモジュールであって、上記第２のデータパケットは、上記第１のデータパケットと同一の業務データを伝送するためのものである、受信モジュールと、
データ伝送状況に応じて上記受信モジュールにより受信された上記第１のデータパケットまたは上記第２のデータパケットを削除するように構成される削除モジュールと、を含むアクセスポイントを提供する。
【００１１】
本願の第５態様によると、メモリと、受送信機と、プロセッサと、を含むアクセスポイントであって、
上記メモリにプログラムが記憶され、
上記プロセッサは、上記メモリ中のプログラムを実行することで、
局との間でマルチ接続を確立するステップであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、ステップと、
上記第１の周波数帯で上記局から送信された第１のデータパケットを受信するステップと、
上記第２の周波数帯で上記局から送信された第２のデータパケットを受信するステップステップであって、上記第２のデータパケットは、上記第１のデータパケットと同一の業務データを伝送するためのものである、ステップと、
データ伝送状況に応じて上記第１のデータパケットまたは上記第２のデータパケットを削除するステップと、を実現させ、
上記バスシステムは、上記メモリと上記プロセッサが通信を行うように上記メモリと上記プロセッサを接続するアクセスポイントを提供する。
【００１２】
本願の第６態様によると、メモリと、受送信機と、プロセッサとを含む局であって、
上記メモリにはプログラムが記憶され、
上記プロセッサは上記メモリ中のプログラムを実行することで、
アクセスポイントとの間でマルチ接続を確立するステップであって、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯である、ステップと、
上記第１の周波数帯で上記アクセスポイントに第１のデータパケットを送信するステップと、
上記アクセスポイントがデータ伝送状況に応じて上記第１のデータパケットまたは上記第２のデータパケットを削除するように、上記第２の周波数帯で上記アクセスポイントに第２のデータパケットを送信するステップであって、上記第２のデータパケットは、上記第１のデータパケットと同一の業務データを伝送するためのものである、ステップと、を実現させ、
上記バスシステムは、上記メモリと上記プロセッサが通信を行うように上記メモリと上記プロセッサを接続する局を提供する。
【００１３】
本願の第７態様によると、局とアクセスポイントとを含むデータ伝送システムであって、
上記局とアクセスポイントとの間でマルチ接続を確立し、上記マルチ接続は、上記アクセスポイントに少なくとも第１の周波数帯と第２の周波数帯を提供するように指示するためのものであり、上記第１の周波数帯と上記第２の周波数帯は異なる二つの周波数帯であり、
上記局が上記第１の周波数帯で上記アクセスポイントに第１のデータパケットを送信し、
上記局が上記第２の周波数帯で上記アクセスポイントに第２のデータパケットを送信し、
上記アクセスポイントがデータ伝送状況に応じて上記第１のデータパケットまたは上記第２のデータパケットを削除し、上記第２のデータパケットは、上記第１のデータパケットと同一の業務データを伝送するためのものであるデータ伝送システムを提供する。
【００１４】
本願の第８態様によると、コンピューターで実行される時に、コンピューターに上記各態様に記載の方法を実行させる命令が記憶されるコンピューター読取可能な記憶媒体を提供する。
【００１５】
以上の技術案から分かるように、本願の実施例によると以下のメリットを有する。
【００１６】
本願の実施例において、まず、局とアクセスポイントとの間で、上記アクセスポイントに少なくとも第１の周波数帯と上記第１の周波数帯と異なる第２の周波数帯との二つの周波数帯を提供するように指示するためのマルチ接続を確立し、その後、アクセスポイントがデータ伝送状況に応じて同一の業務データを伝送するための上記第１のデータパケットまたは上記第２のデータパケットを削除するように、局が第１の周波数帯でアクセスポイントに第１のデータパケットを送信することができ、第２の周波数帯でアクセスポイントに第２のデータパケットを送信することもできるデータ伝送方法を提供する。上記形態によると、局は異なる周波数帯を介してアクセスポイントに同一のデータパケットを送信し、アクセスポイントによりデータ伝送状況に応じて重複したデータパケットのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【図面の簡単な説明】
【００１７】
【図１】本願の実施例におけるデータ伝送システムの構成を示す図である。
【図２】本願の実施例における局とアクセスポイントとがマルチ接続を確立したことを示す図である。
【図３】本願の実施例におけるデータ伝送方法のやり取りの実施例を示す図である。
【図４】本願の実施例におけるデータ伝送方法の実施例を示す図である。
【図５】本願の実施例における自動的にマルチ接続を確立する画面を示す図である。
【図６】本願の実施例における手動でマルチ接続を確立する画面を示す図である。
【図７】本願の実施例における複数の周波数帯が関連する実施例を示す図である。
【図８】本願の実施例における局とアクセスポイントがデュアル接続を確立するプロセスを示す図である。
【図９】本願の実施例における媒体アクセス制御データパケットの１フレームのフォーマットを示す図である。
【図１０】関連設計における順序制御ビットの組成を示す図である。
【図１１】本願の実施例における順序制御ビットの組成を示す図である。
【図１２】本願の実施例におけるデータ伝送方法の他の実施例を示す図である。
【図１３】本願の応用シーンにおけるデータ伝送方法の実施例を示す図である。
【図１４】本願の実施例における局の実施例を示す図である。
【図１５】本願の実施例における局の他の実施例を示す図である。
【図１６】本願の実施例における局の他の実施例を示す図である。
【図１７】本願の実施例におけるアクセスポイントの実施例を示す図である。
【図１８】本願の実施例におけるアクセスポイントの他の実施例を示す図である。
【図１９】本願の実施例における局の構造を示す図である。
【図２０】本願の実施例におけるアクセスポイントの構造を示す図である。
【図２１】本願の実施例におけるデータ伝送システムの実施例を示す図である。
【発明を実施するための形態】
【００１８】
本願の実施例においてデータ伝送方法、関連装置及びシステムを提供し、局が異なる周波数帯を介してアクセスポイントに同一のデータパケットを送信して、瞬時的な極めて高い遅延によるデータパケットの遅延またはロスを回避して、ネットワークの信頼性を高める。
【００１９】
本願の明細書及び特許請求の範囲と図面に用いられた「第１」、「第２」、「第３」、「第４」等（記載された場合）の用語は類似する対象を区別するためのもので、特定の順又は前後順を限定するものではない。ここで説明する本願の実施例を図面に示す又は説明した順との異なる順でも実現できるように、このように使用される数値は適切な状況において交換可能である。そして、「含む」、「有する」及びそれらの変形用語は、非排他的に含むことをカバーするもので、例えば、一連のステップ又はユニットを含むプロセス、方法、システム、製品又は機器が明確に例示されたステップ又はユニットに限定されず、明確に例示されていない又はこれらのプロセス、方法、製品又は機器固有の他のステップ又はユニットも含むことを表す。
【００２０】
本願の実施例は主に、ワイファイ（ｗｉｒｅｌｅｓｓ−ｆｉｄｅｌｉｔｙ：ｗｉｆｉ）状況に応用され、ここで、ｗｉｆｉは無線ＬＡＮ（ｗｉｒｅｌｅｓｓ  ｌｏｃａｌ  ａｒｅａ  ｎｅｔｗｏｒｋｓ：ＷＬＡＮ）への電子機器の接続を許可する技術であり、通常、２．４ギガヘルツ（ｇｉｇａｈｅｒｔｚ：ＧＨｚ）または５ＧＨｚ周波数帯を利用する。無線ＬＡＮへの接続は通常パスワードによって保護されているが、開放されたものである可能性もあるため、ＷＬＡＮ範囲内の機器はいずれも接続することが可能である。これは、電気電子学会（ｉｎｓｔｉｔｕｔｅ  ｏｆ  ｅｌｅｃｔｒｉｃａｌ  ａｎｄ  ｅｌｅｃｔｒｏｎｉｃｓ  ｅｎｇｉｎｅｅｒｓ：ＩＥＥＥ）８０２．１１標準の無線ネットワーク製品間の互換性を改善するためである。本願を図１に示すｗｉｆｉ状況に適用することができ、図１を参照すると、図１は本願の実施例におけるデータ伝送システムの構成を示す図で、図に示すように、端末機器は二つの異なるｗｉｆｉ周波数帯に接続可能であり、なお、図１に示す二つの周波数帯は例示的なものにすぎず、実際の応用において、２．４ＧＨｚの周波数帯及び５ＧＨｚの周波数帯以外、６ＧＨｚの周波数帯または６０ＧＨｚの周波数帯等に接続することもでき、ここでは２．４ＧＨｚの周波数帯及び５ＧＨｚの周波数帯を例に説明するが、これは本願を限定するものではない。図１における端末機器としては、スマートフォン、タブレットＰＣ、ノートパソコン、パームトップ、パーソナルコンピューターを含むが、これらに限定されることはない。アクセスポイントはルーターであることができる。図１に示すルーターは、２．４ＧＨｚ周波数帯及び５ＧＨｚ周波数帯を合併したデュアルバンドｗｉｆｉ機器であり、自動信号ローミング機能を実現することもできる。通常の場合、近距離である場合はより高速である５ＧＨｚ周波数帯に自動的に接続され、遠距離である場合は壁貫通品質が高い２．４ＧＨｚ周波数帯に接続されることができる。
【００２１】
引き続き図２を参照すると、図２は本願の実施例における局とアクセスポイントがマルチ接続を確立したことを示す図で、図に示すように、拡張サービスセット（ｅｘｔｅｎｄｅｄ  ｓｅｒｖｉｃｅ  ｓｅｔ：ＥＳＳ）において、一つのサービスセット識別子（ｓｅｒｖｉｃｅ  ｓｅｔ  ｉｄｅｎｔｉｆｉｅｒ：ＳＳＩＤ）によって二つの異なる周波数帯に接続することができる。データパケットは、二つの異なる周波数帯でコピーされて二本の物理線路で送信される。デュアルバンドをサポートするアクセスポイントまたはデュアルバンドをサポートする局は、受信したデータパケットにディ・エンファシス処理を行う。
【００２２】
簡単に理解するように、図３を参照すると、図３は本願の実施例におけるデータ伝送方法のやり取りの実施例を示す図で、図に示すように、具体的に、ステップ１０１〜１０７を含む。
【００２３】
ステップ１０１において、局とアクセスポイントとの間でまずマルチ接続を確立し、マルチ接続は局が二つの異なる周波数帯（例えばそれぞれ２．４ＧＨｚの周波数帯と５ＧＨｚの周波数帯）のアクセスポイントに接続可能であることを表す。
【００２４】
ステップ１０２において、局がアクセスポイントにデータを送信しようとする場合、この局は第１の周波数帯（例えば２．４ＧＨｚ周波数帯）でアクセスポイントに第１のデータパケットを送信することが可能である。
【００２５】
ステップ１０３において、局がアクセスポイントにデータを送信しようとする場合、この局は第２の周波数帯（例えば５ＧＨｚ周波数帯）でアクセスポイントに第２のデータパケットを送信することができ、ここで、ここでの第２のデータパケットと第１のデータパケットは同一の業務データを伝送し、ただし、伝送される周波数帯が一致しないことで相違する。
【００２６】
なお、ステップ１０２とステップ１０３の実行順はまずステップ１０２を実行してからステップ１０３を実行することが可能であり、またはまずステップ１０３を実行してからステップ１０２を実行することも可能であり、またはステップ１０２とステップ１０３を同時に実行することも可能である。
【００２７】
ステップ１０４において、アクセスポイントは、第１のデータパケットと第２のデータパケットを受信した後、データ伝送状況に応じて、その中の一つのデータパケットを選択して削除し、例えば、第１のデータパケットが先にアクセスポイントに到着し、且つこの第１のデータパケットにおけるデータが完全であると、アクセスポイントは第２のデータパケットを削除する。
【００２８】
ステップ１０５において、アクセスポイントが局にデータを送信しようとする場合、このアクセスポイントは第１の周波数帯（例えば２．４ＧＨｚ周波数帯）で局に第３のデータパケットを送信することができる。
【００２９】
ステップ１０６において、アクセスポイントが局にデータを送信しようとする場合、このアクセスポイントは第２の周波数帯（例えば５ＧＨｚ周波数帯）で局に第４のデータパケットを送信することができ、ここで、ここでの第４のデータパケットと第３のデータパケットは同一の業務データを伝送し、ただし、伝送される周波数帯が一致しないことで相違する。
【００３０】
ステップ１０７において、局は第３のデータパケットと第４のデータパケットを受信した後、データ伝送状況に応じて、その中の一つのデータパケットを選択して削除し、例えば、第３のデータパケットが先に局に到着し、且つこの第３のデータパケットにおけるデータが完全であると、局は第４のデータパケットを削除する。
【００３１】
なお、ステップ１０５とステップ１０６との実行順は、まずステップ１０５を実行してからステップ１０６を実行することが可能であり、またはまずステップ１０６を実行してからステップ１０５を実行することも可能であり、またはステップ１０５とステップ１０６を同時に実行することも可能である。また、ステップ１０２〜ステップ１０４をステップ１０１の後で実行することが可能であれば、ステップ１０６の後で実行することも可能である。
【００３２】
本願の実施例を具体的にネットワークの安定性は高いもののスループットが低いアプリケーション、すなわち、特定の低遅延高安定性の需要のある応用に適用することができ、例えば産業上の制御応用、日常生活でのやり取りにおけるアプリケーション及びゲーム等に適用することができる。
【００３３】
以下、局の方面から、本願におけるデータ伝送方法を説明し、図４を参照すると、本願の実施例におけるデータ伝送方法の一実施例は、２０１〜２０３を含む。
【００３４】
２０１において、局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯である。
【００３５】
本実施例において、局とアクセスポイントとの間でまずマルチ接続を確立し、マルチ接続は局が少なくとも二つの異なる周波数帯のアクセスポイントに接続可能であることを表し、二つの周波数帯は第１の周波数帯（例えば２．４ＧＨｚの周波数帯）と第２の周波数帯（例えば５ＧＨｚの周波数帯）を含む。局とアクセスポイントが同時に複数の周波数帯で作動可能な能力に基づいて、局とアクセスポイントとの間で特定のデータストリームをコピーして、サービス管理エンティティ（ｓｅｒｖｉｃｅ  ｍａｎａｇｅｍｅｎｔ  ｅｎｔｉｔｙ：ＳＭＥ）のマルチ周波数帯稼働（ｍｕｌｔｉｂａｎｄ  ｏｐｅｒａｔｉｏｎ，ＭＢＯ）調和を介して、二つの異なる周波数帯またはチャネルから相手の側に送信し、相手の側においてディ・エンファシス操作を行う。
【００３６】
実際の応用において、この局は具体的にスマートフォンであることができ、説明の便宜を図るために、以下、図５と図６に関連してマルチ接続を確立する操作を説明する。
【００３７】
第１種のマルチ接続の確立形態は自動接続であり、図５を参照すると、図５は本願の実施例における自動的にマルチ接続を確立する画面を示す図で、図面に示すように、ユーザはＳ１に示す無線（ｗｉｆｉ）スイッチを手動でクリックしてｗｉｆｉスイッチをオンすると、ｗｉｆｉに自動的に接続される（もしパスワードによる接続が必要であれば、パスワードを手動で入力することができる）。その後、ユーザはＳ２に示すデュアル接続（ｄｕａｌ  ｌｉｎｋ）スイッチを手動でクリックしてデュアル接続スイッチをオンすると、適切なサービスセット識別子（Ｓｅｒｖｉｃｅ  Ｓｅｔ  Ｉｄｅｎｔｉｆｉｅｒ、ＳＳＩＤと略称）を自動的に選択できる。デュアル接続機能を停止する必要があれば、ページを閉じて設定しない。
【００３８】
対応して、アクセスポイントはマルチ周波数の一体化技術を用いて、二つの周波数帯のｗｉｆｉを一つに合併して、一つのＳＳＩＤを共有し、自動的に局のネットワーク接続状況に応じてより高速でより安定的なｗｉｆｉ周波数帯を選択することにより、手動で周波数帯のハンドオーバーを行う必要がなく、且つシームレスローミングプロトコルをサポートし、局による異なる信号間でのスムーズなハンドオーバーを保証し、ユーザにスムーズでシームレスなｗｉｆｉ環境を提供することができる。また、アクセスポイントは同時に複数の局にデータを伝送して、効率を大幅に向上させ、収容量（Ｃａｒｒｙｉｎｇ  ｃａｐａｃｉｔｙ）を増やす。
【００３９】
第２種のマルチ接続の確立形態は手動接続であり、図６を参照すると、図６は本願の実施例における手動でマルチ接続を確立する画面を示す図で、図面に示すように、複数の周波数帯を有するアクセスポイントの場合、複数のＳＳＩＤが設定されている可能性があるため、デュアル接続機能もスマート端末にて二つの異なるＳＳＩＤに手動で接続することで起動されることができ、二番目のＳＳＩＤに接続する場合、スマート端末は二つのＳＳＩＤが同一の周波数帯に属しないと識別する。
【００４０】
２０２において、局が、第１の周波数帯でアクセスポイントに第１のデータパケットを送信する。
【００４１】
本実施例において、局が、アクセスポイントにデータを送信しようとする場合、この局は第１の周波数帯（例えば２．４ＧＨｚ周波数帯）でアクセスポイントに第１のデータパケットを送信することができる。局はデータを送信する前、同じ業務データが搬送された二つのデータパケットをコピーしておく必要があり、すなわち、本実施例における第１のデータパケット及び第２のデータパケットをコピーしておく必要がある。
【００４２】
２０３において、局は、アクセスポイントがデータ伝送状況に応じて第１のデータパケットまたは第２のデータパケットを削除するように、第２の周波数帯でアクセスポイントに第２のデータパケットを送信し、ここで、第２のデータパケットと第１のデータパケットは同一の業務データの伝送に用いられる。
【００４３】
本実施例において、局がアクセスポイントにデータを送信しようとする場合、この局は第２の周波数帯（例えば５ＧＨｚ周波数帯）でアクセスポイントに第２のデータパケットを送信することができ、ここで、ここでの第２のデータパケットと第１のデータパケットは同一の業務データを伝送し、ただし、伝送される周波数帯が一致しないことで相違する。
【００４４】
アクセスポイントが第１のデータパケットと第２のデータパケットを受信した後、データ伝送状況に応じて、その中の一つのデータパケットを選択して削除し、つまり、データパケットに対してディ・エンファシス処理を行う。もし第１のデータパケットが先にアクセスポイントに到着し、且つこの第１のデータパケット中のデータが有効であれば、アクセスポイントは第２のデータパケットを削除する。反対に、第２のデータパケットが先にアクセスポイントに到着し、且つこの第２のデータパケット中のデータが有効であれば、アクセスポイントは第１のデータパケットを削除する。
【００４５】
ここで、もしマルチ周波数帯が三つの周波数帯であれば、アクセスポイントは局からの三つのデータパケットを受信することになり、該三つのデータパケットがそれぞれ異なる周波数帯でアクセスポイントに伝送され、アクセスポイントは同様に伝送状況に応じてその中の二つのデータパケットを削除しなければならないことは言うまでもない。そして、実際の応用において、マルチ周波数帯は四つの周波数帯またはさらに多い周波数帯であることも可能であり、各周波数帯はいずれも同一のデータパケットを伝送する。
【００４６】
なお、ステップ２０２とステップ２０３の実行順はまずステップ２０２を実行してからステップ２０３を実行することが可能であり、またはまずステップ２０３を実行してからステップ２０２を実行することも可能であり、またはステップ２０２とステップ２０３を同時に実行することも可能である。
【００４７】
本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができ、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【００４８】
あるいはまた、上記図４に対応する実施例に基づいて、本願の実施例によるデータ伝送方法の第１の代替可能な実施例において、局がアクセスポイントとの間でマルチ接続を確立するステップは、
局がアクセスポイントに第１のマルチ接続要求を送信するステップと、
アクセスポイントが第１のマルチ接続要求に応じて局と第１の周波数帯での通信接続を確立するステップと、
局がアクセスポイントに第２のマルチ接続要求を送信するステップと、
アクセスポイントが第２のマルチ接続要求に応じて局と第２の周波数帯での通信接続を確立するステップと、を含む。
【００４９】
本実施例において、局がアクセスポイントとマルチ接続を確立する過程において、通常、局がアクセスポイントに二回の接続要求を送信しなければならない。具体的に、局がまずアクセスポイントに第１のマルチ接続要求を送信し、当該要求はアクセスポイントと局との第１の周波数帯（例えば２．４ＧＨｚ周波数帯）での通信接続の確立に用いられる。局がデュアル接続機能を起動させた場合、局がアクセスポイントに第２のマルチ接続要求を送信し、当該要求はアクセスポイントと局との第２の周波数帯（例えば５ＧＨｚ周波数帯）での通信接続の確立に用いられる。
【００５０】
なお、実際の応用において、アクセスポイントはマルチ周波数帯をサポートするルーターであることができ、単一周波数帯をサポートする複数のルーターが集積されたものであることも可能であり、ここでは限定しない。
【００５１】
次に、本願の実施例において、局とアクセスポイントとの間で接続を二回確立しなければならず、すなわち、局がアクセスポイントに第１のマルチ接続要求を送信した後に第１の周波数帯での通信接続を確立し、続いて、局がアクセスポイントに第２のマルチ接続要求を送信し、第２のマルチ接続要求に応じて第２の周波数帯での通信接続を確立する。上記形態によると、デュアルバンドの接続方式のために具体的な実現形態を提供して、その方式の実行可能性及び操作可能性を保証する。
【００５２】
あるいはまた、上記図４に対応する実施例に基づいて、本願の実施例によるデータ伝送方法の第２の代替可能な実施例において、アクセスポイントは第１のサブアクセスポイントと第２のサブアクセスポイントとを含む。
【００５３】
局がアクセスポイントに第１のマルチ接続要求を送信するステップは、
局と第１のサブアクセスポイントとが関連付けられた後、局が第２のサブアクセスポイントにマルチ接続認証要求を送信し、アクセスポイントは局から送信されたマルチ接続認証要求を第２のサブアクセスポイントを介して受信するステップと、
アクセスポイントが第２のサブアクセスポイントを介して局にマルチ接続認証応答を送信し、局が第２のサブアクセスポイントから送信されたマルチ接続認証応答を受信するステップと、
局が第２のサブアクセスポイントにマルチ接続関連付け要求を送信し、アクセスポイントが局から送信されたマルチ接続関連付け要求を第２のサブアクセスポイントを介して受信するステップと、
アクセスポイントが第２のサブアクセスポイントを介して局にマルチ接続関連付け応答を送信し、局が第２のサブアクセスポイントから送信されたマルチ接続関連付け応答を受信するステップと、を含むことができ、ここで、マルチ接続関連付け応答は第１の周波数帯と第２の周波数帯とを関連付けるためのものである。
【００５４】
本実施例において、アクセスポイントに複数のサブアクセスポイントが含まれることができ、これらのサブアクセスポイントはアクセスポイントに配置され、二つのサブアクセスポイントを例にすると、それぞれ第１のサブアクセスポイントと第２のサブアクセスポイントと定義し、第１のサブアクセスポイントと第２のサブアクセスポイントは同一のＭＡＣアドレスを有することができ、異なるＭＡＣアドレスを有することもでき、ここでは限定しない。実際の応用において、第１のサブアクセスポイントと第２のサブアクセスポイントは局の表示画面に同一のＳＳＩＤとして表示されることができ、局がマルチ接続機能を起動させると、アクセスポイントが自動的に二つの周波数帯を起動させる。あるいはまた、第１のサブアクセスポイントと第２のサブアクセスポイントは局の表示画面に異なる二つのＳＳＩＤとして表示されることができ、局がマルチ接続機能を起動させると、アクセスポイントが一つのＳＳＩＤに応じて第１の周波数帯を提供し、他のＳＳＩＤに応じて第２の周波数帯を提供する。
【００５５】
説明の便宜を図るために、図７を参照すると、図７は本願の実施例における複数の周波数帯が関連する実施例を示す図であり、局はまずＳＳＩＤを介して拡張サービスセット（ｅｘｔｅｎｄｅｄ  ｓｅｒｖｉｃｅ  ｓｅｔ：ＥＳＳ）における第１のサブアクセスポイントに接続され、この第１のサブアクセスポイントは２．４ＧＨｚの周波数帯を提供し、局は第１のサブアクセスポイントと接続関係を確立しなければならず、すなわち局はまず第１のサブアクセスポイントと認証プロセスと関連付けプロセスを行って、局が第１のサブアクセスポイントからフィードバックされた関連付け応答を受信した後、局と第１のサブアクセスポイントとの間の関連付けをすでに完了したと判定することができる。
【００５６】
ここで、局と第１のサブアクセスポイントとの関連付けの形態は主動走査であることが可能であり、被動走査であることも可能である。主動走査は、局が主動的な形態で各チャネルで要求を送信して、ある特定の無線ネットワークに返信するように要求することである。主動走査は、無線ネットワークが自分の存在を声明することを待つのではなく、主動的にネットワークを探す。主動走査を用いるワークステーションは以下のプログラムでチャネルリストに挙げられたチャネルを走査することになる。現在の移動電子製品は大部分が被動走査の形態を用いており、これは走査中に信号を伝送する必要がなく省電力化を実現できるからである。被動走査において、局はチャネルリストに挙げられた各チャネル間で絶えずにハンドオーバーする。
【００５７】
局がデュアル接続機能を起動させると、このＥＳＳにおいて非２．４ＧＨｚ周波数帯の第２のアクセスポイントへ認証要求を発し、すなわち局が第２のアクセスポイントにマルチ接続認証要求を送信し、このマルチ接続認証要求を「８０２．１１高速ＢＳＳ伝送（ｆａｓｔ  ＢＳＳ  ｔｒａｎｓｉｔｉｏｎ：ＦＴ）認証（ａｕｔｈｅｎｔｉｃａｔｉｏｎ、ａｕｔｈ）要求（ｒｅｑｕｅｓｔ）」と表すことができ、第２のアクセスポイントにより局にマルチ接続認証応答を送信し、このマルチ接続認証応答を「８０２．１１  ＦＴ  ａｕｔｈ応答（ｒｅｓｐｏｎｓｅ）」と表すことができる。無線ネットワークの最も大きい問題がセキュリティ性であるため、身分認証は不可欠であり、同時に、許可せず利用者のアクセスを防止するために認証された接続作業の暗号化も必要である。ここでの認証形態はオープンシステム認証（ｏｐｅｎ  ｓｙｓｔｅｍ  ａｕｔｈｅｎｔｉｃａｔｉｏｎ）または共有キー認証（ｓｈａｒｅｄ  ｋｅｙ  ａｕｔｈｅｎｔｉｃａｔｉｏｎ）であることができる。認証過程は、局が身分声明と認証要求を送信するステップ１と、アクセスポイントが認証結果を応答するステップ２との二つのステップを含み、もし返送された結果が「成功」であると、両方の相互認証に成功したことを示す。
【００５８】
認証を完了した後、局はさらに第２のアクセスポイントに関連付け要求を送信し、すなわち局が第２のサブアクセスポイントにマルチ接続関連付け要求を送信し、このマルチ接続関連付け要求を「８０２．１１関連付け（ａｓｓｏｃｉａｔｉｏｎ）ｒｅｑｕｅｓｔ」と表すことができ、第２のサブアクセスポイントにより局にマルチ接続関連付け応答を送信し、このマルチ接続関連付け応答は「８０２．１１  ａｓｓｏｃｉａｔｉｏｎ  ｒｅｓｐｏｎｓｅ」と表すことができる。局とアクセスポイントが関連付けを行って、ネットワークの完全なアクセス権利を取得する。関連付けは記録過程に属し、これにより、分散式システムが各局の位置を記録して、局へ伝送しようとするデータパケットを正確なアクセスポイントに転送することができる。関連付け要求が許可されると、アクセスポイントは成功したことを表す状態コード０と関連付け識別子（Ａｓｓｏｃｉａｔｉｏｎ  ＩＤ：ＡＩＤ）を用いて応答する。もし関連付け要求が失敗すると、状態コードのみを返送して、プロセス全体を中止する。
【００５９】
さらに、本願の実施例において、局とアクセスポイントが認証を行う形態を説明し、すなわち局が第２のサブアクセスポイントにマルチ接続認証要求を送信し、その後アクセスポイントが第２のサブアクセスポイントを介して局にマルチ接続認証応答を送信し、局がさらに第２のサブアクセスポイントにマルチ接続関連付け要求を送信し、最後にアクセスポイントが第２のサブアクセスポイントを介して局にマルチ接続関連付け応答を送信し、マルチ接続関連付け応答は第１の周波数帯と第２の周波数帯を関連付けるためのものである。上記形態によると、局とアクセスポイントとの間でさらに認証を行う必要があり、ユーザの身分と利用可能なネットワークサービスを認証して、認証結果に応じて、局にネットワークサービスを開放することで、ネットワークの信頼性とセキュリティ性を向上させる。
【００６０】
あるいはまた、上記図４に対応する第２実施例に基づいて、本願の実施例によるデータ伝送方法の第３の代替可能な実施例において、アクセスポイントが局と第２の周波数帯での通信接続を確立するように、局がアクセスポイントに第２のマルチ接続要求を送信するステップは、
局がアクセスポイントにマルチ接続確立要求を送信し、アクセスポイントが局から送信されたマルチ接続確立要求を受信するステップと、
アクセスポイントが局にマルチ接続確立応答を送信し、局がアクセスポイントから送信されたマルチ接続確立応答を受信するステップと、
局がアクセスポイントにマルチ接続確認要求を送信し、アクセスポイントが局から送信されたマルチ接続確認要求を受信するステップと、
アクセスポイントが局にマルチ接続確認応答を送信し、アクセスポイントが局と第２の周波数帯での通信接続を確立するように、局がアクセスポイントから送信されたマルチ接続確認応答を受信するステップと、を含むことができる。
【００６１】
本実施例において、図８に関連して局がアクセスポイントとマルチ接続を確立するプロセスを説明し、ここでのアクセスポイントは第２のアクセスポイントを指すことができ、図８を参照すると、図８は本願の実施例における局がアクセスポイントとデュアル接続を確立するプロセスを示す図であり、ここでのアクセスポイントは関連付けを完了した第１のサブアクセスポイントと第２のサブアクセスポイントを含むことができ、具体的にはステップＡ１〜ステップＡ９を含むことができる。
【００６２】
ステップＡ１において、マルチ周波数帯をサポートする局がマルチ周波数帯をサポートするアクセスポイントにデュアル接続確立要求（ｄｕａｌ  ｌｉｎｋ  ｓｅｔｕｐ  ｒｅｑｕｅｓｔ）を送信する。
【００６３】
ステップＡ２において、アクセスポイントが、このｄｕａｌ  ｌｉｎｋ  ｓｅｔｕｐ  ｒｅｑｕｅｓｔを処理する。
【００６４】
ステップＡ３において、アクセスポイントが、ｄｕａｌ  ｌｉｎｋ  ｓｅｔｕｐ  ｒｅｑｕｅｓｔに対する処理を完了した後、マルチ接続確立応答（ＦＴ  ｓｅｔｕｐ  ｒｅｓｐｏｎｓｅ）を生成し、その後、アクセスポイントがまず局にこのＦＴ  ｓｅｔｕｐ  ｒｅｓｐｏｎｓｅを送信する。
【００６５】
ステップＡ４において、局が、ＦＴ  ｓｅｔｕｐ  ｒｅｓｐｏｎｓｅを受信した後、このＦＴ  ｓｅｔｕｐ  ｒｅｓｐｏｎｓｅを処理する。
【００６６】
ステップＡ５において、局が、マルチ接続の確立を判定し、具体的にはデュアル接続であることができる。
【００６７】
ステップＡ６において、アクセスポイントが、マルチ接続の確立を判定し、具体的にはデュアル接続であることができる。
【００６８】
ステップＡ７において、局とアクセスポイントとがマルチ接続を確立する必要があると判定した後、局がアクセスポイントにマルチ接続確認要求（ｄｕａｌ  ｌｉｎｋ  ＡＣＫ  ｒｅｑｕｅｓｔ）を送信する。
【００６９】
ステップＡ８において、アクセスポイントがこのｄｕａｌ  ｌｉｎｋ  ＡＣＫ  ｒｅｑｕｅｓｔを処理して、マルチ接続確認応答（ｄｕａｌ  ｌｉｎｋ  ＡＣＫ  ｒｅｓｐｏｎｓｅ）を生成する。
【００７０】
ステップＡ９において、アクセスポイントが局にｄｕａｌ  ｌｉｎｋ  ＡＣＫ  ｒｅｓｐｏｎｓｅを送信して、局とアクセスポイントとの間のマルチ接続を確立する。
【００７１】
あるいはまた、本願の実施例において、局とアクセスポイントとの間で二回目のデュアル接続の確立を要求する形態を提供し、すなわち局がアクセスポイントにマルチ接続確立要求を送信し、アクセスポイントが局にマルチ接続確立応答を送信し、局がアクセスポイントにマルチ接続確認要求を送信し、アクセスポイントが局にマルチ接続確認応答を送信して、アクセスポイントが局と第２の周波数帯での通信接続を確立する。上記形態によると、局とアクセスポイントとの間でさらに接続を確立する必要があり、両方間のやり取りを介してデュアル接続プロセス全体を完了して、その方式の実用性及び実行可能性を保証することができる。
【００７２】
あるいはまた、上記図４に対応する実施例に基づいて、本願の実施例によるデータ伝送方法の第４の代替可能な実施例において、局がアクセスポイントとの間でマルチ接続を確立するステップは、
局がアクセスポイントから送信されたマルチ接続利用要求を受信するステップと（ここで、マルチ接続利用要求はアクセスポイントが目標業務に応じて生成したものであり、且つ目標業務はマルチ接続利用条件を満たし）、
局がマルチ接続利用要求に応じてアクセスポイントに第１のマルチ接続要求を送信するステップと、
アクセスポイントが第１のマルチ接続要求に応じて局と第１の周波数帯での通信接続を確立するステップと、
局がマルチ接続利用要求に応じてアクセスポイントに第２のマルチ接続要求を送信するステップと、
アクセスポイントが第２のマルチ接続要求に応じて局と第２の周波数帯での通信接続を確立するステップと、を含むことができる。
【００７３】
本実施例において、アクセスポイントはさらに主動的にネットワーク状況を検出してネットワーク状況に応じて局にデュアル接続の提示を送信するか否かを決定することができ、つまり、デュアル接続をサポートするアクセスポイントは、局からデュアル接続機能をサポートするか否かを収集する能力を有する。アクセスポイントにより業務のスループットが第１の所定の閾値未満であって業務のネットワーク遅延が第２の所定の閾値を超えると識別されると、この業務がマルチ接続開始条件を満たすと判定し、この業務を目標業務と決定することができる。アクセスポイントは現在目標業務を実行していると決定した場合、主動的に局にマルチ接続利用要求を送信し、局はこのマルチ接続利用要求を受信した後、表示画面に提示通知を表示してユーザにマルチ接続機能の開始が可能であることを通知する。
【００７４】
なお、局がマルチ接続機能を起動すると決定すると、まずアクセスポイントに第１のマルチ接続要求を送信して、第１の周波数帯での通信接続を確立し、その後、局が引き続きアクセスポイントに第２のマルチ接続要求を送信して第２の周波数帯での通信接続を確立する。
【００７５】
次に、本願の実施例において、局はさらにアクセスポイントから送信されたマルチ接続利用要求を受信することができ、ここで、マルチ接続利用要求はアクセスポイントが目標業務に応じて生成したものであり、且つ目標業務はマルチ接続利用条件を満たし、続いて、局はマルチ接続利用要求に応じて、アクセスポイントに第１のマルチ接続要求を送信して、第１のマルチ接続要求によって第１のマルチ接続要求を確立し、その後、局はマルチ接続利用要求に応じて、アクセスポイントに第２のマルチ接続要求を送信して、第２のマルチ接続要求によって第２のマルチ接続要求を確立する。上記形態によると、デュアル接続をサポートするアクセスポイントの場合、主動的に業務のトラフィックを識別して、業務のトラフィックの遅延が高い場合に応用される時は、局にデュアル接続機能を開始するように主動的に要求することで、その方式の実現のために他の可能な形態を提供し、その方式の柔軟性を向上させる。
【００７６】
あるいはまた、上記図４に対応する実施例に基づいて、本願の実施例によるデータ伝送方法の第５の代替可能な実施例において、第１のデータパケットで第１の順番番号及び第１の周波数帯指示子が搬送され、ここで、第１の順番番号は第１のデータパケットの出現順位を指示し、第１の周波数帯指示子は第１の周波数帯を指示する。
【００７７】
第２のデータパケットで第２の順番番号及び第２の周波数帯指示子が搬送され、ここで、第２の順番番号は第２のデータパケットの出現順位を指示し、第２の周波数帯指示子は第２の周波数帯を指示する。
【００７８】
本実施例において、局またはアクセスポイントにより発生したデータパケットには順番番号及び周波数帯指示子が搬送され、ここで、順番番号は各データパケットの出現順位を指示し、周波数帯指示子はそのデータパケットがどの周波数帯で送信されるかを指示する。
【００７９】
具体的に、図９を参照すると、図９は本願の実施例における媒体アクセス制御データパケットのフレームフォーマットを示す図であり、図面に示すように、一つのデータパケットはＭＡＣフレームヘッドと有効データとを含むことができ、データパケットに以下を含むことができる：
１６個ビットのフレーム制御（ｆｒａｍｅ  ｃｏｎｔｒｏｌ）ビット、
１６個ビットの時間長（ｄｕｒａｔｉｏｎ）／関連付け号（ｉｄｅｎｔｉｔｙ：ＩＤ）フィールド、
アドレス（ａｄｄｒｅｓｓ）ビット、ここでａｄｄｒｅｓｓ１は受信端を表し、ａｄｄｒｅｓｓ２は送信端を表し、ａｄｄｒｅｓｓ３は受信端によるアドレスのフィルタリングに用いられ、例えば、ネットワークにおいて三番目のアドレスは受信端がそのフレームが接続されたネットワークであるか否かを判断するに用いられ、
１６個ビットの順序制御（ｓｅｑｕｅｎｃｅ  ｃｏｎｔｒｏｌ）ビット、フレームフレームフラグメントの再構成及び重複フレームの廃棄に用いられ、カウンターは０から計数を開始し、ＭＡＣレイヤが一つのパケットを処理するたびに１が累積され、
有効データを伝送するデータビット（ｆｒａｍｅ  ｂｏｄｙ）、
フレームチェックシーケンス（ｆｒａｍｅ  ｃｈｅｃｋ  ｓｅｑｕｅｎｃｅ：ＦＣＳ）、ＦＣＳによってワークステーションが受信したフレームの完全性を検査することができる。
【００８０】
さらに具体的に、図１０を参照すると、図１０は関連設計における順序制御ビットの組成を示す図であり、図面に示すように、データパケットヘッドのｓｅｑｕｅｎｃｅ  ｃｏｎｔｒｏｌビットは、４ビットのフレームフラグメント番号（ｆｒａｇｍｅｎｔ  ｎｕｍｂｅｒ）ビットと１２ビットの順番番号（ｓｅｑｕｅｎｃｅ  ｎｕｍｂｅｒ）ビットを含む。図１１を参照すると、図１１は本願の実施例における順序制御ビットの組成を示す図であり、図面に示すように、データパケットヘッドのｓｅｑｕｅｎｃｅ  ｃｏｎｔｒｏｌビットは、１２ビットのｓｅｑｕｅｎｃｅ  ｎｕｍｂｅｒと、３ビットの周波数帯指示子（ｂａｎｄ  ＩＤ）と、１ビットのデュアル接続指示（ｄｕａｌ  ｌｉｎｋ  ｉｎｄｉｃａｔｏｒ）を含み、ここで、ｓｅｑｕｅｎｃｅ  ｎｕｍｂｅｒはデュアル接続機能を開始した後の異なる物理リンクのデータパケット番号を示す。ｂａｎｄ  ＩＤは異なる物理リンクを示す。ｄｕａｌ  ｌｉｎｋ  ｉｎｄｉｃａｔｏｒはデュアル接続機能を起動したか否かを示し、０がデュアル接続機能のオフを、１がデュアル接続機能のオンを示す。
【００８１】
データパケットのヘッドにおいて、同一のＭＡＣサービスデータユニット（ＭＡＣ  ｓｅｒｖｉｃｅ  ｄａｔａ  ｕｎｉｔ：ＭＳＤＵ）に属するｓｅｑｕｅｎｃｅ  ｎｕｍｂｅｒは一致を保持するように配置され、これにより、二つのリンクが相手の側で合流した重複するデータパケットを識別することができる。
【００８２】
通常、重複するデータパケットのフィルタリングを順序制御フィールド（ｓｅｑｕｅｎｃｅ  ｃｏｎｔｒｏｌ  ｆｉｅｌｄ）で表し、なお、データフレーム、管理フレーム、拡張フレームと冗長フレームがいずれもｓｅｑｕｅｎｃｅ  ｃｏｎｔｒｏｌ  ｆｉｅｌｄを含むことができ、ここでは限定しない。
【００８３】
次に、本願の実施例において、データパケットの構成形態を提供し、すなわちデータパケットのヘッドに順番番号及び周波数帯指示子が搬送され、周波数帯指示子によってデータパケットがどの周波数帯で伝送されたかを決定し、順番番号によってデータパケットの伝送順序を決定することができる。上記形態によると、局またはアクセスポイントはデータパケットを解析してディ・エンファシス対象を決定することができ、ディ・エンファシスの信頼性と精確性を向上させる。
【００８４】
あるいはまた、上記図４及び図４に対応する第１〜第５の実施例の中のいずれかに基づいて、本願の実施例によるデータ伝送方法の第６の代替可能な実施例において、局とアクセスポイントとの間でマルチ接続を確立した後、さらに、
アクセスポイントが第１の周波数帯で局に第３のデータパケットを送信し、局がアクセスポイントから送信された第３のデータパケットを第１の周波数帯で受信するステップと（ここで、第３のデータパケットで第３の順番番号及び第１の周波数帯指示子が搬送され、ここで、第３の順番番号は第３のデータパケットの出現順位を指示し、第１の周波数帯指示子は第１の周波数帯を指示し）、
アクセスポイントが第２の周波数帯で局に第４のデータパケットを送信し、局がアクセスポイントから送信された第４のデータパケットを第２の周波数帯で受信するステップと、をさらに含み、ここで、第４のデータパケットと第３のデータパケットは同一の業務データを伝送し、第４の順番番号は第４のデータパケットの出現順位を指示し、第２の周波数帯指示子は第２の周波数帯を指示する。
【００８５】
本実施例において、局とアクセスポイントとの間でマルチ接続を確立した後、局はアクセスポイントにデータパケットを送信することが可能であるとともに、アクセスポイントからのデータパケットを受信することもできる。
【００８６】
具体的に、アクセスポイントが局にデータを送信しようとする場合、このアクセスポイントは第１の周波数帯（例えば２．４ＧＨｚ周波数帯）で局に第３のデータパケットを送信することができる。且つこのアクセスポイントは第２の周波数帯（例えば５ＧＨｚ周波数帯）で局に第４のデータパケットを送信することもでき、ここで、ここでの第３のデータパケットと第４のデータパケットは同一の業務データを伝送し、ただし、伝送される周波数帯が一致しないことで相違する。アクセスポイントはデータを送信する前、同じ業務データが搬送された二つのデータパケットをコピーしておく必要があり、すなわち本実施例における第３のデータパケット及び第４のデータパケットをコピーしておく必要がある。
【００８７】
局は第３のデータパケットと第４のデータパケットを受信した後、データ伝送状況に応じて、その中の一つのデータパケットを選択して削除し、つまりデータパケットに対してディ・エンファシス処理を行う。もし第３のデータパケットが先に局に到着し、且つこの第３のデータパケット中のデータが有効であれば、局は第４のデータパケットを削除する。反対に、第４のデータパケットが先に局に到着し、且つこの第４のデータパケット中のデータが有効であれば、局は第３のデータパケットを削除する。
【００８８】
もしマルチ周波数帯が三つの周波数帯であれば、局がアクセスポイントからの三つのデータパケットを受信することになり、この三つのデータパケットはそれぞれ異なる周波数帯で局に伝送され、局は同様に伝送状況に応じてその中の二つのデータパケットを削除しなければならないことは言うまでもない。そして、実際の応用において、マルチ周波数帯は四つの周波数帯またはさらに多い周波数帯であることも可能であり、各周波数帯はいずれも同一のデータパケットを伝送する。
【００８９】
あるいはまた、本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントが第１の周波数帯で局に第３のデータパケットを送信し、第２の周波数帯で局に第４のデータパケットを送信し、局がアクセスポイントから送信された第４のデータパケットを第２の周波数帯で受信し、局がデータ伝送状況に応じて、第３のデータパケットまたは第４のデータパケットを削除し、ここで、第３のデータパケットと第４のデータパケットは同一の業務データを伝送する。上記形態によると、アクセスポイントが異なる周波数帯を用いて局に同一のデータパケットを送信し、局によりデータ伝送状況に応じてどの重複するデータパケットを削除するかを決定することで、局とアクセスポイントとの間のネットワークの安定性を向上させ、瞬時的な極めて高い遅延によるデータパケットの遅延またはロスを回避して、ネットワークの信頼性を高める。
【００９０】
あるいはまた、上記図４に対応する第６の実施例に基づいて、本願の実施例によるデータ伝送方法の第７の代替可能な実施例において、局がデータ伝送状況に応じて第３のデータパケットまたは第４のデータパケットを削除するステップは、
局が先に第３のデータパケットを受信した場合、局は第４の順番番号及び第２の周波数帯指示子に応じて、第４のデータパケットを削除するステップと、
局が先に第４のデータパケットを受信した場合、局は第３の順番番号及び第１の周波数帯指示子に応じて、第３のデータパケットを削除するステップと、を含むことができる。
【００９１】
本実施例において、局を例にデータパケットを削除する形態を説明し、あるいはまた、アクセスポイントは第１の周波数帯を介して局に第３のデータパケットを送信し、また第２の周波数帯を介してそれぞれ局に第４のデータパケットを送信する。異なる周波数帯の伝送効率に差異がある可能性があるため、局も該二つのデータパケットを前後で受信することになる。当該二つのデータパケットが伝送中にデータロスがないと仮定すると、局が先に第３のデータパケットを受信した場合、第４の順番番号及び第２の周波数帯指示子に応じて第４のデータパケットを削除する。反対に、もし局が先に第４のデータパケットを受信した場合、第３の順番番号及び第１の周波数帯指示子に応じて第３のデータパケットを削除する。
【００９２】
もしデータパケットに伝送中にデータロスが発生すると、データが完全性を基準として、データロスのあるデータパケットを削除することを言うまでもない。
【００９３】
あるいはまた、本願の実施例において、局またはアクセスポイントはさらに、各データパケットに搬送された順番番号と周波数帯指示子に応じてどのデータパケットを削除するかを決定することもできる。もし先に第３のデータパケットを受信した場合、第４の順番番号及び第２の周波数帯指示子に応じて第４のデータパケットを削除することができ、先に第４のデータパケットを受信した場合、第３の順番番号及び第１の周波数帯指示子に応じて第３のデータパケットを削除することができる。上記形態によると、局またはアクセスポイントが先に受信したデータパケットを優先に記憶し、その後に受信した重複するデータパケットを削除し、これにより、データの伝送効率を向上させて、局またはアクセスポイントがより早いデータを取得できる一方、周波数帯指示子と順番番号を用いて重複するデータパケットを正確に削除することで方式の信頼性を向上させることができる。
【００９４】
以下、アクセスポイントの方面から、本願におけるデータ伝送方法を説明し、図１２を参照すると、本願の実施例におけるデータ伝送方法の一実施例は３０１〜３０４を含む。
【００９５】
３０１において、アクセスポイントと局との間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯である。
【００９６】
本実施例において、局とアクセスポイントとの間でまずマルチ接続を確立しなければならず、マルチ接続は局が少なくとも二つの異なる周波数帯のアクセスポイントに接続可能であることを表し、二つの周波数帯は第１の周波数帯（例えば２．４ＧＨｚの周波数帯）と第２の周波数帯（例えば５ＧＨｚの周波数帯）を含む。局とアクセスポイントが同時に複数の周波数帯で作動可能な能力に基づいて、局とアクセスポイントとの間で特定のデータストリームをコピーして、ＳＭＥのＭＢＯ協同によって、二つの異なる周波数帯またはチャネルから相手の側に送信し、相手の側においてディ・エンファシス操作を行う。
【００９７】
局がマルチ接続を確立する操作については、上記実施例におけるステップ２０１に記載の内容を参照することができ、ここでは詳細な説明を省略する。
【００９８】
３０２において、アクセスポイントが局から送信された第１のデータパケットを第１の周波数帯で受信する。
【００９９】
本実施例において、局がアクセスポイントにデータを送信しようとする場合、この局は第１の周波数帯（例えば２．４ＧＨｚ周波数帯）でアクセスポイントに第１のデータパケットを送信することができ、このアクセスポイントは第１の周波数帯で第１のデータパケットを受信する。局はデータを送信する前、同じ業務データが搬送された二つのデータパケットをコピーしておく必要があり、すなわち本実施例における第１のデータパケット及び第２のデータパケットをコピーしておく必要がある。
【０１００】
３０３において、アクセスポイントが局から送信された第２のデータパケットを第２の周波数帯で受信し、ここで、第２のデータパケットと第１のデータパケットは同一の業務データを伝送する。
【０１０１】
本実施例において、局がアクセスポイントにデータを送信しようとする場合、この局は第２の周波数帯（例えば５ＧＨｚ周波数帯）でアクセスポイントに第２のデータを送信することができ、このアクセスポイントは第２の周波数帯で第２のデータパケットを受信し、ここで、ここでの第２のデータパケットと第１のデータパケットは同一の業務データを伝送し、ただし、伝送される周波数帯が一致しないことで相違する。
【０１０２】
なお、ステップ３０２とステップ３０３の実行順はまずステップ３０２を実行してからステップ３０３を実行することが可能であり、またはまずステップ３０３を実行してからステップ３０２を実行することも可能であり、またはステップ３０２とステップ３０３を同時に実行することも可能である。
【０１０３】
３０４において、アクセスポイントがデータ伝送状況に応じて、第１のデータパケットまたは第２のデータパケットを削除する。
【０１０４】
本実施例において、アクセスポイントが第１のデータパケットと第２のデータパケットを受信した後、データ伝送状況に応じて、その中の一つのデータパケットを選択して削除し、つまりデータパケットに対してディ・エンファシス処理を行う。もし第１のデータパケットが先にアクセスポイントに到着し、且つこの第１のデータパケット中のデータが有効であれば、アクセスポイントは第２のデータパケットを削除する。反対に、第２のデータパケットが先にアクセスポイントに到着し、且つこの第２のデータパケット中のデータが有効であれば、アクセスポイントは第１のデータパケットを削除する。
【０１０５】
もしマルチ周波数帯が三つの周波数帯であれば、アクセスポイントは局からの三つのデータパケットを受信することになり、該三つのデータパケットがそれぞれ異なる周波数帯でアクセスポイントに伝送され、アクセスポイントは同様に伝送状況に応じてその中の二つのデータパケットを削除しなければならないことは言うまでもない。そして、実際の応用において、マルチ周波数帯は四つの周波数帯またはさらに多い周波数帯であることも可能であり、各周波数帯はいずれも同一のデータパケットを伝送する。
【０１０６】
本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができ、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１０７】
あるいはまた、上記図１２に対応する実施例に基づいて、本願の実施例によるデータ伝送方法の第１の代替可能な実施例において、アクセスポイントがデータ伝送状況に応じて第１のデータパケットまたは第２のデータパケットを削除するステップは、
アクセスポイントが先に第１のデータパケットを受信した場合、アクセスポイントは第２の順番番号及び第２の周波数帯指示子に応じて第２のデータパケットを削除するステップと、
アクセスポイントが先に第２のデータパケットを受信した場合、アクセスポイントは第１の順番番号及び第１の周波数帯指示子に応じて第１のデータパケットを削除するステップと、を含むことができる。
【０１０８】
本実施例において、アクセスポイントを例にデータパケットを削除する形態を説明し、あるいはまた、局は第１の周波数帯を介してアクセスポイントに第１のデータパケットを送信し、また第２の周波数帯を介してそれぞれアクセスポイントに第２のデータパケットを送信する。異なる周波数帯の伝送効率に差異がある可能性があるため、アクセスポイントも当該二つのデータパケットを前後で受信することになる。もし当該二つのデータパケットが伝送中にデータロスがないと仮定すると、局が先に第１のデータパケットを受信した場合、第２の順番番号及び第２の周波数帯指示子に応じて第２のデータパケットを削除する。反対に、もしアクセスポイントが先に第２のデータパケットを受信した場合、第１の順番番号及び第１の周波数帯指示子に応じて第１のデータパケットを削除する。
【０１０９】
もしデータパケットに伝送中にデータロスが発生すると、データが完全性を基準として、データロスのあるデータパケットを削除することを言うまでもない。
【０１１０】
次に、本願の実施例において、局またはアクセスポイントはさらに各データパケットに搬送された順番番号と周波数帯指示子に応じてどのデータパケットを削除するかを決定することができる。もし先に第１のデータパケットを受信した場合、第２の順番番号及び第２の周波数帯指示子に応じて第２のデータパケットを削除することができ、もし先に第２のデータパケットを受信した場合、第１の順番番号及び第１の周波数帯指示子に応じて第１のデータパケットを削除することができる。上記形態によると、局またはアクセスポイントが先に受信したデータパケットを優先に記憶し、その後に受信した重複するデータパケットを削除し、これにより、データの伝送効率を向上させて、局またはアクセスポイントがより早いデータを取得できる一方、周波数帯指示子と順番番号を用いて重複するデータパケットを正確に削除することで方式の信頼性を向上させることができる。
【０１１１】
説明の便宜を図るために、以下、図１３に関連して、本願のデータ伝送方法を具体的に説明し、図１３は本願の応用シーンにおけるデータ伝送方法の実施例を示す図であり、図面に示すように、局とアクセスポイントはいずれもデュアルバンドをサポートし、まず局がアクセスポイントにデータパケットを送信する場合を例にして、局が１０個のデータパケットを生成し、当該データパケットのｓｅｑｕｅｎｃｅ  ｎｕｍｂｅｒが順に０、１、２、３、４、５、６、７、８、９であると仮定する。局はそれぞれ２．４ＧＨｚの周波数帯と５ＧＨｚの周波数帯を介してアクセスポイントに当該１０個のデータパケットを送信し、ここで、２．４ＧＨｚ周波数帯で送信した１０個のデータパケットのｂａｎｄ  ＩＤはいずれも０１であり、５ＧＨｚ周波数帯で送信した１０個のデータパケットのｂａｎｄ  ＩＤはいずれも１０である。アクセスポイントがデータパケットを受信した後、順に当該１０個のデータパケットのｓｅｑｕｅｎｃｅ  ｎｕｍｂｅｒとｂａｎｄ  ＩＤを検出し、これにより、異なる周波数帯で伝送された重複するデータパケットを抽出する。ｂａｎｄ  ＩＤは基本サービスセット識別子（ｂａｓｉｃ  ｓｅｒｖｉｃｅ  ｓｅｔ  Ｉｄｅｎｔｉｆｉｅｒ：ＢＳＳＩＤ）であることができる。管理エンティティはサービス管理エンティティ（ｓｅｒｖｉｃｅ  ｍａｎａｇｅｍｅｎｔ  ｅｎｔｉｔｙ：ＳＭＥ）であることができ、マルチ接続のオンオフ及びＦＴ対話の確立と二つの周波数帯でのデータパケットシーケンス番号の配置の管理を負担する。
【０１１２】
且つ、二つの周波数帯の再送信は、送信要求／送信除去プロトコル（ｒｅｑｕｅｓｔ  ｔｏ  ｓｅｎｄ／ｃｌｅａｒ  ｔｏ  ｓｅｎｄ：ＲＴＳ／ＣＴＳ）メカニズムに従って行われる。データパケットを受信した場合、それぞれ伝送された周波数帯に確認ブロック（ｂｌｏｃｋ  ａｃｋ）を適用する形態で重複するデータパケットを削除し、ｂｌｏｃｋ  ａｃｋは一般的に送信する前にＣＴＳで隠れ局をクリアして伝送の信頼性を向上させる。ｂｌｏｃｋ  ａｃｋに対する確認は即時確認と遅延確認との２種類に分けられる。即時確認は一般的にハードウェアにより完了し、ハードウェアが受信したデータパケットを確認ビットマップにマッピングしてから応答を行う。一方、遅延応答の場合、プロトコルスタックにより完了することができ、さらなるデータ検査を完了することができる。
【０１１３】
さらに、アクセスポイントが局にデータパケットを送信する場合を例にして、アクセスポイントが１０個のデータパケットを生成し、これらのデータパケットのｓｅｑｕｅｎｃｅ  ｎｕｍｂｅｒが順に０、１、２、３、４、５、６、７、８、９であると仮定する。アクセスポイントはそれぞれ２．４ＧＨｚの周波数帯と５ＧＨｚの周波数帯を介して局に当該１０個のデータパケットを送信し、ここで、２．４ＧＨｚ周波数帯で送信した１０個のデータパケットのｂａｎｄ  ＩＤはいずれも０１であり、５ＧＨｚ周波数帯で送信した１０個のデータパケットのｂａｎｄ  ＩＤはいずれも１０である。局がデータパケットを受信した後、当該１０個のデータパケットのｓｅｑｕｅｎｃｅ  ｎｕｍｂｅｒとｂａｎｄ  ＩＤを順に検出し、これにより、異なる周波数帯で伝送された重複するデータパケットを抽出する。
【０１１４】
以下、本願の実施例における対応する局を詳しく説明し、図１４を参照すると、図１４は本願の実施例における局の一実施例を示す図であり、局４０は、確立モジュール４０１と、送信モジュール４０２とを含む。
【０１１５】
確立モジュール４０１は、アクセスポイントとの間でマルチ接続を確立するように構成され、ここで、マルチ接続は少なくとも第１の周波数帯と第２の周波数帯を提供するようにアクセスポイントに指示し、第１の周波数帯と第２の周波数帯は異なる二つの周波数帯である。
【０１１６】
送信モジュール４０２は、第１の周波数帯でアクセスポイントに第１のデータパケットを送信するように構成される。
【０１１７】
送信モジュール４０２はさらに、アクセスポイントがデータ伝送状況に応じて第１のデータパケットまたは第２のデータパケットを削除するように、局が第２の周波数帯でアクセスポイントに第２のデータパケットを送信するように構成され、ここで、第２のデータパケットと第１のデータパケットは同一の業務データを伝送する。
【０１１８】
本実施例において、確立モジュール４０１がアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、送信モジュール４０２により第１の周波数帯でアクセスポイントに第１のデータパケットを送信し、送信モジュール４０２により、アクセスポイントがデータ伝送状況に応じて第１のデータパケットまたは第２のデータパケットを削除するように、局が第２の周波数帯でアクセスポイントに第２のデータパケットを送信し、ここで、第２のデータパケットと第１のデータパケットは同一の業務データを伝送する。
【０１１９】
本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができるとともに、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１２０】
あるいはまた、上記図１４に対応する実施例に基づいて、本願の実施例による局４０の他の実施例において、
確立モジュール４０１は具体的に、アクセスポイントが局との第１の周波数帯での通信接続を確立するように、アクセスポイントに第１のマルチ接続要求を送信し、
アクセスポイントが局との第２の周波数帯での通信接続を確立するように、アクセスポイントに第２のマルチ接続要求を送信するように構成される。
【０１２１】
次に、本願の実施例において、局とアクセスポイントとの間で接続を二回確立しなければならず、すなわち、局がアクセスポイントに第１のマルチ接続要求を送信した後に第１の周波数帯での通信接続を確立する。続いて、局がアクセスポイントに第２のマルチ接続要求を送信し、第２のマルチ接続要求に応じて第２の周波数帯での通信接続を確立する。上記形態によると、デュアルバンドの接続方式のために具体的な実現形態を提供して、その方式の実行可能性及び操作可能性を保証する。
【０１２２】
あるいはまた、上記図１４に対応する実施例に基づいて、図１５を参照すると、本願の実施例による局４０の他の実施例において、アクセスポイントは第１のサブアクセスポイントと第２のサブアクセスポイントとを含む。
【０１２３】
局４０は受信モジュール４０３をさらに含み、
送信モジュール４０２はさらに、局と第１のサブアクセスポイントとが関連つけられた後、第２のサブアクセスポイントにマルチ接続認証要求を送信するように構成され、
受信モジュール４０３は、第２のサブアクセスポイントから送信されたマルチ接続認証応答を受信するように構成され、
送信モジュール４０２はさらに、第２のサブアクセスポイントにマルチ接続関連付け要求を送信するように構成され、
受信モジュール４０３はさらに、第２のサブアクセスポイントから送信されたマルチ接続関連付け応答を受信するように構成され、ここで、マルチ接続関連付け応答は第１の周波数帯と第２の周波数帯を関連付けるためのものである。
【０１２４】
次に、本願の実施例において、局とアクセスポイントが認証を行う形態を提供し、すなわち局が第２のサブアクセスポイントにマルチ接続認証要求を送信し、その後、アクセスポイントが第２のサブアクセスポイントを介して局にマルチ接続認証応答を送信し、局がさらに第２のサブアクセスポイントにマルチ接続関連付け要求を送信し、最後にアクセスポイントが第２のサブアクセスポイントを介して局にマルチ接続関連付け応答を送信し、マルチ接続関連付け応答は第１の周波数帯と第２の周波数帯を関連付けるためのものである。上記形態によると、局とアクセスポイントとの間でさらに認証を行う必要があり、ユーザの身分と利用可能なネットワークサービスを認証して、認証結果に応じて、局にネットワークサービスを開放することで、ネットワークの信頼性とセキュリティ性を向上させる。
【０１２５】
あるいはまた、上記図１５に対応する実施例に基づいて、本願の実施例による局４０の他の実施例において、
送信モジュール４０２は具体的に、アクセスポイントにマルチ接続確立要求を送信し、
アクセスポイントから送信されたマルチ接続確立応答を受信し、
アクセスポイントにマルチ接続確認要求を送信し、
アクセスポイントが局と第２の周波数帯での通信接続を確立するように、アクセスポイントから送信されたマルチ接続確認応答を受信するように構成される。
【０１２６】
あるいはまた、本願の実施例において、局とアクセスポイントとの間で二回目のデュアル接続の確立を要求する形態を提供し、すなわち局がアクセスポイントにマルチ接続確立要求を送信し、アクセスポイントが局にマルチ接続確立応答を送信し、局がアクセスポイントにマルチ接続確認要求を送信し、アクセスポイントが局にマルチ接続確認応答を送信して、アクセスポイントが局と第２の周波数帯での通信接続を確立する。上記形態によると、局とアクセスポイントとの間でさらに接続を確立する必要があり、両方間のやり取りを介してデュアル接続プロセス全体を完了して、その方式の実用性及び実行可能性を保証することができる。
【０１２７】
あるいはまた、上記図１４に対応する実施例に基づいて、本願の実施例による局４０の他の実施例において、
確立モジュール４０１は具体的に、アクセスポイントから送信されたマルチ接続利用要求を受信し、ここで、マルチ接続利用要求はアクセスポイントが目標業務に応じて生成したものであり、且つ目標業務はマルチ接続利用条件を満たし、
アクセスポイントが局と第１の周波数帯での通信接続を確立するように、マルチ接続利用要求に応じて、アクセスポイントに第１のマルチ接続要求を送信し、
アクセスポイントが局と第２の周波数帯での通信接続を確立するように、マルチ接続利用要求に応じて、アクセスポイントに第２のマルチ接続要求を送信するように構成される。
【０１２８】
次に、本願の実施例において、局はさらにアクセスポイントから送信されたマルチ接続利用要求を受信することができ、ここで、マルチ接続利用要求はアクセスポイントが目標業務に応じて生成したものであり、且つ目標業務はマルチ接続利用条件を満たし、続いて、局はマルチ接続利用要求に応じて、アクセスポイントに第１のマルチ接続要求を送信し、第１のマルチ接続要求によって第１のマルチ接続要求を確立し、その後、局はマルチ接続利用要求に応じてアクセスポイントに第２のマルチ接続要求を送信し、第２のマルチ接続要求によって第２のマルチ接続要求を確立する。上記形態によると、デュアル接続をサポートするアクセスポイントの場合、主動的に業務のトラフィックを識別して、業務のトラフィックの遅延が高い場合に応用される時は、局にデュアル接続機能を開始するように主動的に要求することで、その方式の実現のために他の可能な形態を提供し、その方式の柔軟性を向上させる。
【０１２９】
あるいはまた、上記図１４に対応する実施例に基づいて、本願の実施例による局４０の他の実施例において、第１のデータパケットで第１の順番番号及び第１の周波数帯指示子が搬送され、ここで、第１の順番番号は第１のデータパケットの出現順位を指示し、第１の周波数帯指示子は第１の周波数帯を指示し、
第２のデータパケットで第２の順番番号及び第２の周波数帯指示子が搬送され、ここで、第２の順番番号は第２のデータパケットの出現順位を指示し、第２の周波数帯指示子は第２の周波数帯を指示する。
【０１３０】
次に、本願の実施例において、データパケットの組成形態を提供し、すなわちデータパケットのヘッドに順番番号及び周波数帯指示子が搬送され、周波数帯指示子によってデータパケットがどの周波数帯で伝送されたかを決定し、順番番号によってデータパケットの伝送順序を決定することができる。上記形態によると、局またはアクセスポイントはデータパケットを解析してディ・エンファシス対象を決定することができ、ディ・エンファシスの信頼性と正確性を向上させる。
【０１３１】
あるいはまた、上記図１４または図１５に対応する実施例に基づいて、図１６を参照すると、本願の実施例による局４０のための実施例において、局４０はさらに削除モジュール４０４を含み、
受信モジュール４０３はさらに、確立モジュール４０１によりアクセスポイントとの間でマルチ接続を確立した後、アクセスポイントから送信された第３のデータパケットを第１の周波数帯で受信するように構成され、ここで、第３のデータパケットで第３の順番番号及び第１の周波数帯指示子が搬送され、ここで、第３の順番番号は第３のデータパケットの出現順位を指示し、第１の周波数帯指示子は第１の周波数帯を指示し、
受信モジュール４０３はさらに、アクセスポイントから送信された第４のデータパケットを第２の周波数帯で受信するように構成され、ここで、第４のデータパケットと第３のデータパケットは同一の業務データを伝送し、第４の順番番号は第４のデータパケットの出現順位を指示し、第２の周波数帯指示子は第２の周波数帯を指示し、
削除モジュール４０４は、データ伝送状況に応じて受信モジュール４０３により受信された第３のデータパケットまたは第４のデータパケットを削除するように構成される。
【０１３２】
あるいはまた、本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントが第１の周波数帯で局に第３のデータパケットを送信し、第２の周波数帯で局に第４のデータパケットを送信し、局がアクセスポイントから送信された第４のデータパケットを第２の周波数帯で受信し、局がデータ伝送状況に応じて、第３のデータパケットまたは第４のデータパケットを削除し、ここで、第３のデータパケットと第４のデータパケットは同一の業務データを伝送する。上記形態によると、アクセスポイントが異なる周波数帯を介して局に同一のデータパケットを送信し、局によりデータ伝送状況に応じてどの重複するデータパケットを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１３３】
あるいはまた、上記図１６に対応する実施例に基づいて、本願の実施例による局４０の他の実施例において、
削除モジュール４０４は具体的に、局が先に第３のデータパケットを受信した場合、局が第４の順番番号及び第２の周波数帯指示子に応じて第４のデータパケットを削除し、
局が先に第４のデータパケットを受信した場合、局は第３の順番番号及び第１の周波数帯指示子に応じて第３のデータパケットを削除するように構成される。
【０１３４】
あるいはまた、本願の実施例において、局またはアクセスポイントはさらに、各データパケットに搬送された順番番号と周波数帯指示子に応じてどのデータパケットを削除するかを決定することもできる。もし先に第３のデータパケットを受信した場合、第４の順番番号及び第２の周波数帯指示子に応じて第４のデータパケットを削除することができ、先に第４のデータパケットを受信した場合、第３の順番番号及び第１の周波数帯指示子に応じて第３のデータパケットを削除することができる。上記形態によると、局またはアクセスポイントが先に受信したデータパケットを優先に記憶し、その後に受信した重複するデータパケットを削除し、これにより、データの伝送効率を向上させて、局またはアクセスポイントがより早いデータを取得できる一方、周波数帯指示子と順番番号を用いて重複するデータパケットを正確に削除することで方式の信頼性を向上させることができる。
【０１３５】
以上、本願の実施例における対応する局を詳しく説明し、以下は本願の実施例における対応するアクセスポイントを詳しく説明し、図１７を参照すると、図１７は本願の実施例におけるアクセスポイントの実施例を示す図であり、アクセスポイント５０は、確立モジュール５０１と、受信モジュール５０２と、削除モジュール５０３と、を含む。
【０１３６】
確立モジュール５０１は、局との間でマルチ接続を確立するように構成され、ここで、マルチ接続は少なくとも第１の周波数帯と第２の周波数帯を提供するようにアクセスポイントに指示し、第１の周波数帯と第２の周波数帯は異なる二つの周波数帯である。
【０１３７】
受信モジュール５０２は、局から送信された第１のデータパケットを第１の周波数帯で受信するように構成される。
【０１３８】
受信モジュール５０２はさらに、局から送信された第２のデータパケットを第２の周波数帯で受信するように構成され、ここで、第２のデータパケットと第１のデータパケットは同一の業務データを伝送する。
【０１３９】
削除モジュール５０３は、データ伝送状況に応じて、受信モジュール５０２により受信された第１のデータパケットまたは第２のデータパケットを削除するように構成される。
【０１４０】
本実施例において、確立モジュール５０１が局との間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、受信モジュール５０２が局から送信された第１のデータパケットを第１の周波数帯で受信し、受信モジュール５０２が局から送信された第２のデータパケットを第２の周波数で受信し、ここで、第２のデータパケットと第１のデータパケットは同一の業務データを伝送し、また削除モジュール５０３がデータ伝送状況に応じて、受信モジュール５０２により受信された第１のデータパケットまたは第２のデータパケットを削除する。
【０１４１】
本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができ、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１４２】
あるいはまた、上記図１７に対応する実施例に基づいて、本願の実施例によるアクセスポイント５０の他の実施例において、
確立モジュール５０１は具体的に、局から送信された第１のマルチ接続要求を受信し、
第１のマルチ接続要求に応じて、局と第１の周波数帯での通信接続を確立し、
局から送信された第２のマルチ接続要求を受信し、
第２のマルチ接続要求に応じて、局と第２の周波数帯での通信接続を確立するように構成される。
【０１４３】
次に、本願の実施例において、局とアクセスポイントとの間で接続を二回確立しなければならず、すなわち、局がアクセスポイントに第１のマルチ接続要求を送信した後に第１の周波数帯での通信接続を確立する。続いて、局がアクセスポイントに第２のマルチ接続要求を送信し、第２のマルチ接続要求に応じて第２の周波数帯での通信接続を確立する。上記形態によると、デュアルバンドの接続方式のために具体的な実現形態を提供して、その方式の実行可能性及び操作可能性を保証する。
【０１４４】
あるいはまた、上記図１７に対応する実施例に基づいて、図１８を参照すると、本願の実施例によるアクセスポイント５０の他の実施例において、アクセスポイントは第１のサブアクセスポイントと第２のサブアクセスポイントとを含み、
アクセスポイント５０はさらに送信モジュール５０４を含み、
受信モジュール５０２はさらに、アクセスポイントと第１のサブアクセスポイントとが関連付けられた後、第２のサブアクセスポイントを介して、局から送信されたマルチ接続認証要求を受信するように構成され、
送信モジュール５０４は、第２のサブアクセスポイントを介して、局にマルチ接続認証応答を送信するように構成され、
受信モジュール５０２はさらに、第２のサブアクセスポイントを介して、局から送信されたマルチ接続関連付け要求を受信するように構成され、
送信モジュール５０４はさらに、第２のサブアクセスポイントを介して、局にマルチ接続関連付け応答を送信するように構成され、ここで、マルチ接続関連付け応答は第１の周波数帯と第２の周波数帯を関連付けるためのものである。
【０１４５】
さらに、本願の実施例において、局とアクセスポイントとが認証を行う形態を説明し、すなわち局が第２のサブアクセスポイントにマルチ接続認証要求を送信し、その後アクセスポイントが第２のサブアクセスポイントを介して局にマルチ接続認証応答を送信し、局がさらに第２のサブアクセスポイントにマルチ接続関連付け要求を送信し、最後にアクセスポイントが第２のサブアクセスポイントを介して局にマルチ接続関連付け応答を送信し、マルチ接続関連付け応答は第１の周波数帯と第２の周波数帯を関連付けるためのものである。上記形態によると、局とアクセスポイントとの間でさらに認証を行う必要があり、ユーザの身分と利用可能なネットワークサービスを認証して、認証結果に応じて、局にネットワークサービスを開放することで、ネットワークの信頼性とセキュリティ性を向上させる。
【０１４６】
あるいはまた、上記図１８に対応する実施例に基づいて、本願の実施例によるアクセスポイント５０の他の実施例において、
送信モジュール５０４は具体的に、局から送信されたマルチ接続確立要求を受信し、
局にマルチ接続確立応答を送信し、
局から送信されたマルチ接続確認要求を受信し、
局にマルチ接続確認応答を送信するように構成される。
【０１４７】
あるいはまた、本願の実施例において、局とアクセスポイントとの間で二回目のデュアル接続の確立を要求する形態を提供し、すなわち局がアクセスポイントにマルチ接続確立要求を送信し、アクセスポイントが局にマルチ接続確立応答を送信し、局がアクセスポイントにマルチ接続確認要求を送信し、アクセスポイントが局にマルチ接続確認応答を送信して、アクセスポイントが局と第２の周波数帯での通信接続を確立する。上記形態によると、局とアクセスポイントとの間でさらに接続を確立する必要があり、両方間のやり取りを介してデュアル接続プロセス全体を完了して、その方式の実用性及び実行可能性を保証することができる。
【０１４８】
あるいはまた、上記図１８に対応する実施例に基づいて、本願の実施例によるアクセスポイント５０の他の実施例において、
確立モジュール５０１は具体的に、アクセスポイントにより目標業務が検出されると、局にマルチ接続利用要求を送信し、ここで、目標業務はマルチ接続利用条件を満たし、
局がマルチ接続利用要求に応じて送信した第１のマルチ接続要求を受信し、
第１のマルチ接続要求に応じて、局と第１の周波数帯での通信接続を確立し、
局がマルチ接続利用要求に応じて送信した第２のマルチ接続要求を受信し、
第２のマルチ接続要求に応じて、局と第２の周波数帯での通信接続を確立するように構成される。
【０１４９】
次に、本願の実施例において、局はさらにアクセスポイントから送信されたマルチ接続利用要求を受信することができ、ここで、マルチ接続利用要求はアクセスポイントが目標業務に応じて生成したものであり、且つ目標業務はマルチ接続利用条件を満たし、続いて、局はマルチ接続利用要求に応じて、アクセスポイントに第１のマルチ接続要求を送信し、第１のマルチ接続要求によって第１のマルチ接続要求を確立し、その後、局はマルチ接続利用要求に応じてアクセスポイントに第２のマルチ接続要求を送信し、第２のマルチ接続要求によって第２のマルチ接続要求を確立する。上記形態によると、デュアル接続をサポートするアクセスポイントの場合、主動的に業務のトラフィックを識別して、業務のトラフィックの遅延が高い場合に応用される時は、局にデュアル接続機能を開始するように主動的に要求することで、その方式の実現のために他の可能な形態を提供し、その方式の柔軟性を向上させる。
【０１５０】
あるいはまた、上記図１７に対応する実施例に基づいて、本願の実施例によるアクセスポイント５０の他の実施例において、第１のデータパケットで第１の順番番号及び第１の周波数帯指示子が搬送され、ここで、第１の順番番号は第１のデータパケットの出現順位を指示し、第１の周波数帯指示子は第１の周波数帯を指示する。
【０１５１】
第２のデータパケットで第２の順番番号及び第２の周波数帯指示子が搬送され、ここで、第２の順番番号は第２のデータパケットの出現順位を指示し、第２の周波数帯指示子は第２の周波数帯を指示する。
【０１５２】
次に、本願の実施例において、データパケットの組成形態を提供し、すなわちデータパケットのヘッドに順番番号及び周波数帯指示子が搬送され、周波数帯指示子によってデータパケットがどの周波数帯で伝送されたかを決定し、順番番号によってデータパケットの伝送順序を決定することができる。上記形態によると、局またはアクセスポイントはデータパケットを解析してディ・エンファシス対象を決定することができ、ディ・エンファシスの信頼性と精確性を向上させる。
【０１５３】
あるいはまた、上記図１７または図１８に対応する実施例に基づいて、本願の実施例によるアクセスポイント５０の他の実施例において、
送信モジュール５０４はさらに、確立モジュール５０１が局との間でマルチ接続を確立した後、第１の周波数帯で局に第３のデータパケットを送信するように構成され、
送信モジュール５０４はさらに、局がデータ伝送状況に応じて第３のデータパケットまたは第４のデータパケットを削除するように、第２の周波数帯で局に第４のデータパケットを送信するように構成され、ここで、第４のデータパケットと第３のデータパケットは同一の業務データを伝送する。
【０１５４】
あるいはまた、本願の実施例において、データ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントが第１の周波数帯で局に第３のデータパケットを送信し、第２の周波数帯で局に第４のデータパケットを送信し、局がアクセスポイントから送信された第４のデータパケットを第２の周波数帯で受信し、局がデータ伝送状況に応じて第３のデータパケットまたは第４のデータパケットを削除し、ここで、第３のデータパケットと第４のデータパケットは同一の業務データを伝送する。上記形態によると、アクセスポイントが異なる周波数帯を介して局に同一のデータパケットを送信し、局によりデータ伝送状況に応じてどの重複するデータパケットを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１５５】
あるいはまた、上記図１７に対応する実施例に基づいて、本願の実施例によるアクセスポイント５０の他の実施例において、
削除モジュール５０３は具体的に、アクセスポイントが先に第１のデータパケットを受信した場合、第２の順番番号及び第２の周波数帯指示子に応じて第２のデータパケットを削除し、
アクセスポイントが先に第２のデータパケットを受信した場合、第１の順番番号及び第１の周波数帯指示子に応じて第１のデータパケットを削除するように構成される。
【０１５６】
次に、本願の実施例において、局またはアクセスポイントはさらに各データパケットに搬送された順番番号と周波数帯指示子に応じてどのデータパケットを削除するかを決定することができる。もし先に第１のデータパケットを受信した場合、第２の順番番号及び第２の周波数帯指示子に応じて第２のデータパケットを削除することができ、もし先に第２のデータパケットを受信した場合、第１の順番番号及び第１の周波数帯指示子に応じて第１のデータパケットを削除することができる。上記形態によると、局またはアクセスポイントが先に受信したデータパケットを優先に記憶し、その後に受信した重複するデータパケットを削除し、これにより、データの伝送効率を向上させて、局またはアクセスポイントがより早いデータを取得できる一方、周波数帯指示子と順番番号を用いて重複するデータパケットを正確に削除することで方式の信頼性を向上させることができる。
【０１５７】
本願の実施例においてさらに他の局を提供し、例えば図１９に示すように、説明の便宜を図るため、本願の実施例に関連する部分のみを示し、開示していない詳細な部分については本願の方法実施例の部分を参照されたい。この局は携帯電話、タブレットＰＣ、パーソナルデジタルアシスタント（ｐｅｒｓｏｎａｌ  ｄｉｇｉｔａｌ  ａｓｓｉｓｔａｎｔ：ＰＤＡ）、販売端末（ｐｏｉｎｔ  ｏｆ  ｓａｌｅｓ：ＰＯＳ）、車載パソコン等の任意の端末機器であることができ、局が携帯電話である場合を例にする。
【０１５８】
図１９は携帯電話の本願の実施例による端末に関連する部分の構造を示すブロック図である。図１９を参照すると、携帯電話は、高周波（ｒａｄｉｏ  ｆｒｅｑｕｅｎｃｙ：ＲＦ）回路６１０と、メモリ６２０と、入力ユニット６３０と、表示ユニット６４０と、センサー６５０と、オーディオ回路６６０と、ワイファイ（ｗｉｒｅｌｅｓｓ  ｆｉｄｅｌｉｔｙ：ＷｉＦｉ）モジュール６７０と、プロセッサ６８０と、電源６９０等の部品を含む。図１９に示す携帯電話の構造が携帯電話を限定するものではなく、図示する部品よりさらに多いまたは少ない部品、または一部の部品の組み合わせ、または異なる部品配置を含むことも可能であることを当業者は理解できる。
【０１５９】
以下、図１９に関連して、携帯電話の各構成部品を具体的に説明する。
【０１６０】
ＲＦ回路６１０は、情報の受送信または通話中の信号の受送信に用いられ、特に、基地局の下り情報を受信した後、プロセッサ６８０に転送して処理を行わせる。また、設計された上りのデータを基地局へ送信する。通常、ＲＦ回路６１０としては、アンテナ、少なくとも一つの増幅器、トランシーバー、カプラー、低雑音増幅器（ｌｏｗ  ｎｏｉｓｅ  ａｍｐｌｉｆｉｅｒ：ＬＮＡ）、デュプレクサ等を含むがこれに限定されることはない。また、ＲＦ回路６１０はさらに、無線通信とネットワークを介して他の機器と通信することができる。上記無線通信はいずれかの通信標準またはプロトコルを用いることができ、グローバル・システム・フォー・モバイル・コミュニケーションズ（ｇｌｏｂａｌ  ｓｙｓｔｅｍ  ｏｆ  ｍｏｂｉｌｅ  ｃｏｍｍｕｎｉｃａｔｉｏｎ：ＧＳＭ）、汎用パケット無線サービス（ｇｅｎｅｒａｌ  ｐａｃｋｅｔ  ｒａｄｉｏ  ｓｅｒｖｉｃｅ：ＧＰＲＳ）、符号分割多元接続（ｃｏｄｅ  ｄｉｖｉｓｉｏｎ  ｍｕｌｔｉｐｌｅ  ａｃｃｅｓｓ：ＣＤＭＡ）、広帯域符号分割多元接続（ｗｉｄｅｂａｎｄ  ｃｏｄｅ  ｄｉｖｉｓｉｏｎ  ｍｕｌｔｉｐｌｅ  ａｃｃｅｓｓ：ＷＣＤＭＡ）、長期的進化（ｌｏｎｇ  ｔｅｒｍ  ｅｖｏｌｕｔｉｏｎ：ＬＴＥ）、新しい無線（Ｎｅｗ  Ｒａｄｉｏ：５Ｇ  ＮＲ）、電子メール、メッセージサービス（ｓｈｏｒｔ  ｍｅｓｓａｇｉｎｇ  ｓｅｒｖｉｃｅ：ＳＭＳ）等を含むがこれに限定されることはない。
【０１６１】
メモリ６２０はソフトウェアプログラム及びモジュールを記憶することができ、プロセッサ６８０はメモリ６２０に記憶されたソフトウェアプログラム及びモジュールを実行することで携帯電話の各種の機能アプリケーション及びデータ処理を行うことができる。メモリ６２０は主にプログラムの記憶領域とデータの記憶領域とを含み、ここで、プログラムの記憶領域にオペレーティング・システム、少なくとも一つの機能に必要なアプリケーション（例えば音声放送機能、画像放送機能等）等を記憶することができる。データの記録領域に携帯電話の使用に従って作成されるデータ（例えば音声データ、電話帳等）等を記憶することができる。また、メモリ６２０は高速ランダムアクセスメモリを含むことができ、例えば少なくとも一つの磁気記憶装置、フラッシュ記憶装置等の不揮発性メモリまたは他の揮発性固体記憶装置をさらに含むこともできる。
【０１６２】
入力ユニット６３０は、入力された数字または文字情報を受信し、及び携帯電話のユーザによる設定や機能制御に関連するキー信号の入力を発生することができる。あるいはまた、入力ユニット６３０は、タッチパネル６３１と他の入力機器６３２を含むことができる。タッチパネル６３１はタッチスクリーンとも呼ばれ、ユーザがその上または周辺で行ったタッチ操作（例えばユーザが指、スタイラス等のいずれかの適切な物体または部品でタッチパネル６３１上またはタッチパネル６３１の周辺で行った操作）を収集して、予め設定されたプログラムに従って対応する接続装置を駆動する。あるいはまた、タッチパネル６３１はタッチ検出装置とタッチコントローラとの二つの部分を含むことができる。ここで、タッチ検出装置がユーザによるタッチ方位を検出し、またタッチ操作による信号を検出して、信号をタッチコントローラに伝送する。タッチコントローラはタッチ検出装置からタッチ情報を受信してタッチ点座標に変換してプロセッサ６８０に伝送し、また、プロセッサ６８０からの命令を受信して実行する。また、抵抗型、容量型、赤外線、表面弾性波等のさまざまなタイプでタッチパネル６３１を実現することができる。タッチパネル６３１以外、入力ユニット６３０は他の入力機器６３２をさらに含むこともできる。あるいはまた、他の入力機器６３２としては、物理キーボード、機能キー（例えば音量調節キー、スイッチキー等）、トラックボール、マウス、ジョイスティック等のうちの１種または複種類を含むがこれに限定されることはない。
【０１６３】
表示ユニット６４０はユーザによって入力された情報またはユーザに提供する情報及び携帯電話の各種のメニューを表示することができる。表示ユニット６４０は表示パネル６４１を含むことができ、あるいはまた、液晶ディスプレイ（ｌｉｑｕｉｄ  ｃｒｙｓｔａｌ  ｄｉｓｐｌａｙ：ＬＣＤ）、有機発光ダイオード（ｏｒｇａｎｉｃ  ｌｉｇｈｔ−ｅｍｉｔｔｉｎｇ  ｄｉｏｄｅ：ＯＬＥＤ）等の形式で表示パネル６４１を配置することができる。さらに、タッチパネル６３１が表示パネル６４１を覆うこともでき、タッチパネル６３１によってその上または周辺でのタッチ操作が検出されると、タッチイベントのタイプを決定するようにプロセッサ６８０に伝送し、その後、プロセッサ６８０がタッチイベントのタイプに応じて表示パネル６４１上で対応する視覚出力を提供する。図１９において、タッチパネル６３１と表示パネル６４１とを二つの独立した部品として携帯電話の入力と出力機能を実現しているが、一部の実施例において、タッチパネル６３１と表示パネル６４１とを集積して携帯電話の入力と出力機能を実現することもできる。
【０１６４】
携帯電話はさらに、例えば光センサー、運動センサー及び他のセンサー等の少なくとも１種のセンサー６５０を含むことができる。あるいはまた、光センサーは環境光センサーと近接センサーを含むことができ、ここで、環境光センサーは環境光線の輝度に応じて表示パネル６４１の輝度を調節することができ、近接センサーは携帯電話が耳付近に移動されると、表示パネル６４１及び／またはバックライトをオフする。運動センサーの１種として、加速度センサーは各方向（一般的には三軸）で加速度の大きさを検出することができ、静止した場合は重力の大きさ及び方向を測定することができ、携帯電話の姿勢の応用（例えば横向きと縦向きの切り替え、関連ゲーム、磁力計の姿勢校正）、振動識別に関連する機能（例えば歩数計、叩き）等の識別に用いられることができる。携帯電話にさらにジャイロスコープ、気圧計、湿度計、温度計、赤外線センサー等の他のセンサーをさらに配置することもでき、ここでは詳細な説明を省略する。
【０１６５】
オーディオ回路６６０、スピーカー６６１、マイクロフォン６６２は、ユーザと携帯電話との間の音声インタフェースを提供することができる。オーディオ回路６６０は、受信した音声データを変換して得た電気信号をスピーカー６６１に伝送し、スピーカー６６１によって声信号に変換して出力する。一方、マイクロフォン６６２は収集した音声信号を電気信号に変換し、オーディオ回路６６０が受信して音声データに変換してから音声データをプロセッサ６８０に出力して処理させ、その後、ＲＦ回路６１０を介して、例えば他の携帯電話に送信し、または音声データをメモリ６２０に出力してさらに処理させる。
【０１６６】
ＷｉＦｉは、近距離無線伝送技術に属し、携帯電話はＷｉＦｉモジュール６７０を介して、ユーザによる電子メールの受送信、ウェブサイトの閲覧、ストリーミングメディアへのアクセス等をサポートし、ユーザに無線のブロードバンドインターネットアクセスを提供する。図１９にＷｉＦｉモジュール６７０を示したが、携帯電話の不可欠な構成ではなく、ニーズに応じて出願の本質を変更しない範囲内で省略できることは言うまでもない。
【０１６７】
プロセッサ６８０は、携帯電話の制御センサーで、各種のインタフェースと線路を介して携帯電話全体の各部分を接続し、メモリ６２０内に記憶されたソフトウェアプログラムと／またはモジュールを実行または実施し、メモリ６２０内に記憶されたデータを呼び出すことで、携帯電話の各種の機能と処理データを実施して、携帯電話に統合的なモニタリングを行う。あるいはまた、プロセッサ６８０は一つまたは複数の処理ユニットを含むことがｄけいる。あるいはまた、プロセッサ６８０は応用プロセッサとモデムプロセッサを集積することができ、ここで、応用プロセッサは主にオペレーティング・システム、ユーザインタフェースとアプリケーション等を処理し、モデムプロセッサは主に無線通信を処理する。上記モデムプロセッサをプロセッサ６８０に集積しないこともできることは言うまでもない。
【０１６８】
携帯電話はさらに、各部品で電力を供給する電源６９０（例えば電池）を含むことができ、あるいはまた、電源は電源管理システムを介してプロセッサ６８０にロジック接続されて、電源管理システムを介して、充放電の管理及び消費電力の管理等の機能を実現することができる。
【０１６９】
図示しないが、携帯電話にはさらにカメラ、ブルートゥースモジュール等が含まれることができ、ここでは詳細な説明を省略する。
【０１７０】
本願の実施例において、この端末に含まれるプロセッサ６８０はさらに以下の機能を有する。
【０１７１】
アクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、
第１の周波数帯でアクセスポイントに第１のデータパケットを送信し、
アクセスポイントがデータ伝送状況に応じて第１のデータパケットまたは第２のデータパケットを削除するように、第２の周波数帯でアクセスポイントに第２のデータパケットを送信し、ここで、第２のデータパケットと第１のデータパケットは同一の業務データを伝送する。
【０１７２】
あるいはまた、プロセッサ６８０はさらに、
アクセスポイントが局と第１の周波数帯での通信接続を確立するように、アクセスポイントに第１のマルチ接続要求を送信するステップと、
アクセスポイントが局と第２の周波数帯での通信接続を確立するように、アクセスポイントに第２のマルチ接続要求を送信するステップと、を実行する。
【０１７３】
あるいはまた、プロセッサ６８０はさらに、
第２のサブアクセスポイントにマルチ接続認証要求を送信するステップと、
第２のサブアクセスポイントから送信されたマルチ接続認証応答を受信するステップと、
第２のサブアクセスポイントにマルチ接続関連付け要求を送信するステップと、
第２のサブアクセスポイントから送信されたマルチ接続関連付け応答を受信するステップと、を実行し、ここで、マルチ接続関連付け応答は第１の周波数帯と第２の周波数帯を関連付けるためのものである。
【０１７４】
あるいはまた、プロセッサ６８０は具体的に、
アクセスポイントにマルチ接続確立要求を送信するステップと、
アクセスポイントから送信されたマルチ接続確立応答を受信するステップと、
アクセスポイントにマルチ接続確認要求を送信するステップと、
アクセスポイントが局と第２の周波数帯での通信接続を確立するように、アクセスポイントから送信されたマルチ接続確認応答を受信するステップと、を実行する。
【０１７５】
あるいはまた、プロセッサ６８０は具体的に、
アクセスポイントから送信されたマルチ接続利用要求を受信するステップと（ここで、マルチ接続利用要求はアクセスポイントが目標業務に応じて生成したものであり、且つ目標業務はマルチ接続利用条件を満たし）、
アクセスポイントが局と第１の周波数帯での通信接続を確立するように、マルチ接続利用要求に応じてアクセスポイントに第１のマルチ接続要求を送信するステップと、
アクセスポイントが局と第２の周波数帯での通信接続を確立するように、マルチ接続利用要求に応じてアクセスポイントに第２のマルチ接続要求を送信するステップと、を実行する。
【０１７６】
あるいはまた、プロセッサ６８０はさらに、
アクセスポイントから送信された第３のデータパケットを第１の周波数帯で受信するステップと（ここで、第３のデータパケットで第３の順番番号及び第１の周波数帯指示子が搬送され、ここで、第３の順番番号は第３のデータパケットの出現順位を指示し、第１の周波数帯指示子は第１の周波数帯を指示し）、
アクセスポイントから送信された第４のデータパケットを第２の周波数帯で受信するステップと（ここで、第４のデータパケットと第３のデータパケットは同一の業務データを伝送し、第４の順番番号は第４のデータパケットの出現順位を指示し、第２の周波数帯指示子は第２の周波数帯を指示し）、
データ伝送状況に応じて第３のデータパケットまたは第４のデータパケットを削除するステップと、を実行する。
【０１７７】
あるいはまた、プロセッサ６８０は具体的に、
局が先に第３のデータパケットを受信すると、第４の順番番号及び第２の周波数帯指示子に応じて第４のデータパケットを削除するステップと、
局が先に第４のデータパケットを受信すると、第３の順番番号及び第１の周波数帯指示子に応じて第３のデータパケットを削除するステップと、を実行する。
【０１７８】
図２０は本願の実施例によるアクセスポイントの構造を示す図であり、このアクセスポイント７００は配置または性能の違いにより比較的に大きい差異があり、一つまたはその以上の中央処理装置（ｃｅｎｔｒａｌ  ｐｒｏｃｅｓｓｉｎｇ  ｕｎｉｔｓ：ＣＰＵ）７２２（例えば、一つまたはその以上のプロセッサ）及びメモリ７３２と、一つまたはその以上のアプリケーション７４２またはデータ７４４を記憶するための記憶媒体７３０（例えば、一つまたはその以上のＵＳＢマスストレージ）を含むことができる。ここで、メモリ７３２と記憶媒体７３０は一時記憶または永久記憶であることができる。記憶媒体７３０に記憶されるプログラムは、一つまたはその以上のモジュール（未図示）を含むことができ、各モジュールはアクセスポイントに対する一連の命令操作を含むことができる。あるいはまた、中央処理装置７２２は記憶媒体７３０と通信して、アクセスポイント７００にて記憶媒体７３０における一連の命令操作を実行するように構成されることができる。
【０１７９】
アクセスポイント７００はさらに一つまたはその以上の電源７２６と、一つまたはその以上の有線または無線ネットワークインタフェース７５０と、一つまたはその以上の入出力インターフェース７５８及び／または、例えばＷｉｎｄｏｗｓ  Ｓｅｒｖｅｒ、Ｍａｃ  ＯＳ、Ｕｎｉｘ、Ｌｉｎｕｘ、ＦｒｅｅＢＳＤ等等の一つまたはその以上のオペレーティング・システム７４１とを含むことができる。
【０１８０】
上記実施例において、アクセスポイントによって実行されるステップは、当該図２０に示すアクセスポイントの構造に基づくものであることができる。
【０１８１】
本願の実施例において、このアクセスポイントに含まれるＣＰＵ７２２はさらに以下の機能を有する：
局との間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、
局から送信された第１のデータパケットを第１の周波数帯で受信し、
局から送信された第２のデータパケットを第２の周波数帯で受信し、ここで、第２のデータパケットと第１のデータパケットは同一の業務データを伝送し、
データ伝送状況に応じて、第１のデータパケットまたは第２のデータパケットを削除する。
【０１８２】
あるいはまた、ＣＰＵ７２２は具体的に、
局から送信された第１のマルチ接続要求を受信するステップと、
第１のマルチ接続要求に応じて局と第１の周波数帯での通信接続を確立するステップと、
局から送信された第２のマルチ接続要求を受信するステップと、
第２のマルチ接続要求に応じて局と第２の周波数帯での通信接続を確立するステップと、を実行する。
【０１８３】
あるいはまた、ＣＰＵ７２２はさらに、
第２のサブアクセスポイントを介して局から送信されたマルチ接続認証要求を受信するステップと、
第２のサブアクセスポイントを介して局にマルチ接続認証応答を送信するステップと、
第２のサブアクセスポイントを介して局から送信されたマルチ接続関連付け要求を受信するステップと、
第２のサブアクセスポイントを介して局にマルチ接続関連付け応答を送信するステップと、を実行し、ここで、マルチ接続関連付け応答は第１の周波数帯と第２の周波数帯を関連付けるためのものである。
【０１８４】
あるいはまた、ＣＰＵ７２２は具体的に、
局から送信されたマルチ接続確立要求を受信するステップと、
局にマルチ接続確立応答を送信するステップと、
局から送信されたマルチ接続確認要求を受信するステップと、
局にマルチ接続確認応答に送信するステップと、を実行する。
【０１８５】
あるいはまた、ＣＰＵ７２２は具体的に、
目標業務が検出されると、局にマルチ接続利用要求を送信するステップと（ここで、目標業務はマルチ接続利用条件を満たし）、
局がマルチ接続利用要求に応じて送信した第１のマルチ接続要求を受信するステップと、
第１のマルチ接続要求に応じて局と第１の周波数帯での通信接続を確立するステップと、
局がマルチ接続利用要求に応じて送信した第２のマルチ接続要求を受信するステップと、
第２のマルチ接続要求に応じて局と第２の周波数帯での通信接続を確立するステップと、を実行する。
【０１８６】
あるいはまた、ＣＰＵ７２２はさらに、
第１の周波数帯で局に第３のデータパケットを送信するステップと、
局がデータ伝送状況に応じて第３のデータパケットまたは第４のデータパケットを削除するように、第２の周波数帯で局に第４のデータパケットを送信するステップと、を実行し、ここで、第４のデータパケットと第３のデータパケットは同一の業務データを伝送する。
【０１８７】
あるいはまた、ＣＰＵ７２２は具体的に、
アクセスポイントが先に第１のデータパケットを受信した場合、第２の順番番号及び第２の周波数帯指示子に応じて第２のデータパケットを削除するステップと、
アクセスポイントが先に第２のデータパケットを受信した場合、第１の順番番号及び第１の周波数帯指示子に応じて第１のデータパケットを削除するステップと、を実行する。
【０１８８】
図２１を参照すると、図２１は本願の実施例におけるデータ伝送システムの実施例を示す図であり、図面に示すように、本願の実施例におけるデータ伝送システムの一実施例は局８０１と、アクセスポイント８０２とを含む。
【０１８９】
本実施例において、局８０１とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、アクセスポイントがデータ伝送状況に応じて第１のデータパケットまたは第２のデータパケットを削除するように、局が第１の周波数帯でアクセスポイントに第１のデータパケットを送信し、局が第２の周波数帯でアクセスポイントに第２のデータパケットを送信し、ここで、第２のデータパケットと第１のデータパケットは同一の業務データを伝送する。
【０１９０】
本願の実施例において、データ伝送システムを提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができ、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【０１９１】
上記実施例において、全部または一部をソフトウェア、ハードウェア、ファームウェアまたはこれらの任意の組み合わせによって実現することができる。ソフトウェアで実現する場合、全部または一部をコンピュータープログラム製品の形態で実現することができる。
【０１９２】
前記コンピュータープログラム製品は一つまたは複数のコンピューター命令を含む。前記コンピュータープログラム命令をコンピューターにアップロードして実行する場合、本願の実施例に記載のプロセスまたは機能の全部または一部を発生する。前記コンピューターは、汎用コンピューター、専用コンピューター、コンピューターネットワーク、または他のプログラム可能な装置であることができる。前記コンピューター命令はコンピューター読取可能な記憶媒体に記憶され、または一つのコンピューター読取可能な記憶媒体から他のコンピューター読取可能な記憶媒体に伝送されることができ、例えば、前記コンピューター命令は一つのウェブサイト、コンピューター、サーバまたはデータセンターから、有線（例えば同軸ケーブル、光ファイバー、デジタル加入者線）または無線（例えば赤外線、無線、マイクロ波等）方式を介して、他のウェブサイト、コンピューター、サーバまたはデータセンターに伝送されることができる。前記コンピューター読取可能な記憶媒体は、コンピューターが記憶可能ないずれかの利用可能な媒体、または一つまたは複数の利用可能な媒体の集積を含むサーバ、データセンター等のデータ記憶装置であることができる。前記利用可能な媒体は磁気媒体（例えば、フロッピーディスク、ハードディスク、磁気テープ）、光媒体（例えば、ＤＶＤ）、または半導体媒体（例えばソリッドステートドライブ）等であることができる。
【０１９３】
説明の便宜や簡略化を図るために、上記説明したシステム、装置とユニットの具体的な作動フローについては上述した方法実施例における対応するプロセスを参照することができることを当業者は理解でき、ここでは詳細な説明を省略する。
【０１９４】
本願による幾つかの実施例において開示したシステム、装置と方法を他の形態で実現することも可能であることは理解できることでる。例えば、上述した装置実施例は例示的なものにすぎず、例えば、前記ユニットの区画はロジック機能の区画であり、実際に実現する場合には他の区画形態であることも可能であり、例えば複数のユニットまたは部品を他のシステムに結合または集積するか、または一部の特徴を無視するかまたは実行しないこともできる。一方、表示または検討した相互間の結合または直接結合または通信接続は、インタフェース、装置またはユニットを介して間接的な結合または通信接続であることも可能であり、電気的、機械的または他の形式の接続であることも可能である。
【０１９５】
上述した分離部品として説明したユニットは物理的に分離したものであることができ、物理的に分離していないものであることも可能であり、ユニットとして表す部品は物理ユニットであることができ、物理ユニットではないこともでき、つまり、一つの箇所に位置することができ、複数のネットワークユニットに分布されることもできる。実際の需要に応じて、その中の一部又は全部のユニットを選択して本実施例の技術案を実現する目的を実現することができる。
【０１９６】
そして、本願の各実施例における各機能ユニットを一つの処理ユニットに集積することができ、各ユニットが物理的に独立したものであることも可能であり、二つ又はその以上のユニットを一つのユニットに集積することもできる。上記集積されたユニットをハードウェアの形態で実現でき、ソフトウェア機能ユニットの形態で実現することもできる。
【０１９７】
上記集積されたユニットをソフトウェア機能ユニットの形態で実現して独立製品として販売したり使用したりする場合、上記コンピューター読取可能な記憶媒体に記憶することができる。従って、本願の技術案の実質又は既存技術に対する貢献のある部分又は該技術案の全部又は一部をソフトウェア製品の形態で実現することができ、このコンピューターソフトウェア製品は記憶媒体に記憶され、コンピューター機器（パーソナルコンピューター、サーバ又はネットワーク機器等）に本願の各実施例に記載の方法の全部又は一部のステップを実行させる複数の命令を含むことができる。上述した記憶媒体は、ＵＳＢ、モバイルハードドライブ、読み出し専用メモリ（ｒｅａｄ−ｏｎｌｙ  ｍｅｍｏｒｙ：ＲＯＭ）、ランダムアクセスメモリ（ｒａｎｄｏｍ  ａｃｃｅｓｓ  ｍｅｍｏｒｙ：ＲＡＭ）、磁気ディスク又は光ディスク等のプログラムコードを記憶可能なさまざまな媒体を含む。
【０１９８】
以上に記載のように、以上の実施例は本願の技術案を限定するものではなく、本願の技術案を説明するためのものである。上記実施例を参照して本願を詳しく説明したが、上記各実施例に記載の技術案を修正することができ、またはその中の一部の特徴を同等置換することができるが、対応する技術案の実質がこれらの修正または置換によって本願の各実施例の技術案の思想や範囲を離脱することがないことを当業者は理解できる。
【産業上の利用可能性】
【０１９９】
本願はデータ伝送方法を提供し、まず局とアクセスポイントとの間でマルチ接続を確立し、ここで、マルチ接続は少なくとも第１の周波数帯と第２の周波数帯を提供するようにアクセスポイントに指示し、第１の周波数帯と第２の周波数帯は異なる二つの周波数帯であり、その後、アクセスポイントがデータ伝送状況に応じて第１のデータパケットまたは第２のデータパケットを削除するように、局は第１の周波数帯でアクセスポイントに第１のデータパケットを送信することができ、第２の周波数帯でアクセスポイントに第２のデータパケットを送信することもでき、ここで、第２のデータパケットと第１のデータパケットは同一の業務データを伝送する。上記形態によると、局が異なる周波数帯を介してアクセスポイントに同一のデータパケットを送信し、アクセスポイントによりデータ伝送状況に応じて重複するデータパケットのうちのどれを削除するかを決定することで、局とアクセスポイントとの間のネットワークの安定性を向上させ、瞬時的な極めて高い遅延によるデータパケットの遅延またはロスを回避して、ネットワークの信頼性を高める。
【図１】
2021524190.tif 000003
【図２】
2021524190.tif 000004
【図３】
2021524190.tif 000005
【図４】
2021524190.tif 000006
【図５】
2021524190.tif 000007
【図６】
2021524190.tif 000008
【図７】
2021524190.tif 000009
【図８】
2021524190.tif 000010
【図９】
2021524190.tif 000011
【図１０】
2021524190.tif 000012
【図１１】
2021524190.tif 000013
【図１２】
2021524190.tif 000014
【図１３】
2021524190.tif 000015
【図１４】
2021524190.tif 000016
【図１５】
2021524190.tif 000017
【図１６】
2021524190.tif 000018
【図１７】
2021524190.tif 000019
【図１８】
2021524190.tif 000020
【図１９】
2021524190.tif 000021
【図２０】
2021524190.tif 000022
【図２１】
2021524190.tif 000023
【国際調査報告】
2021524190.tif 000024
2021524190.tif 000025
2021524190.tif 000026
2021524190.tif 000027